(57)【要約】  本発明は、下記一般式（Ｉ）で示される化合物と、ルイス酸又は下記一般式（Ａ）で示される化合物と、溶媒とを混合してなる、マグネシウム電池用電解液等に関する。2017204322.tif 000083｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基；マグネシウムブロミドオキシ基；ハロゲノ基等を置換基として有していてもよいアルキル基；アルコキシ基；アルコキシ基等を置換基として有していてもよいアリール基；アルコキシ基等を置換基として有していてもよいアリールオキシ基；又は、下記一般式（１）：2017204322.tif 000084で示される基を表し；２個のＲ１が下記一般式（２）：2017204322.tif 000085を形成していてもよい。｝2017204322.tif 000086（式中、４個のＲ１０は、それぞれ独立して、アルキル基、パーフルオロアルキル基、フェニル基又はパーフルオロフェニル基を表す。）
2017204322.tif 000002
【特許請求の範囲】
【請求項１】
下記一般式（Ｉ）で示される化合物と、ルイス酸又は下記一般式（Ａ）で示される化合物と、溶媒とを混合してなる、マグネシウム電池用電解液：
2017204322.tif 000072
｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１）：
2017204322.tif 000073
（式中、ａは１〜３の整数を表し、Ｘ２は塩素原子又は臭素原子を表し、ａ個のＲ２は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表す。）
で示される基を表し；２個のＲ１が下記一般式（２）：
2017204322.tif 000074
（式中、ｂは１〜３の整数を表し、Ｒ２は上記と同じ。）
を形成していてもよい。｝；
2017204322.tif 000075
（式中、４個のＲ10は、それぞれ独立して、炭素数１〜６のアルキル基、炭素数１〜６のパーフルオロアルキル基、フェニル基又はパーフルオロフェニル基を表す。）。
【請求項２】
ルイス酸が、ベリリウム、ホウ素、アルミニウム、ケイ素、スズ、チタン、クロム、鉄、又はコバルトを元素として含むものである、請求項１記載のマグネシウム電池用電解液。
【請求項３】
ルイス酸が、アルミニウムを元素として含むものである、請求項１記載のマグネシウム電池用電解液。
【請求項４】
ルイス酸が塩化アルミニウムである、請求項１記載のマグネシウム電池用電解液。
【請求項５】
前記一般式（Ｉ）における２個のＲ１が、それぞれ独立して、マグネシウムクロリドオキシ基（−OMgCl）；炭素数１〜６のアルキル基；炭素数１〜６のアルコキシ基；ハロゲノ基、アルキル基、ハロゲノアルキル基、若しくはアルコキシ基を置換基として有していてもよいフェニル基；ハロゲノ基、アルキル基、ハロゲノアルキル基、若しくはアルコキシ基を置換基として有していてもよいフェノキシ基；又は、下記一般式（３）：
2017204322.tif 000076
（式中、ａ個のＲ３は、それぞれ独立して、マグネシウムクロリドオキシ基（−OMgCl）；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表し、ａは上記と同じ。）
で示される基であるか；或いは、２個のＲ１が下記一般式（４）：
2017204322.tif 000077
（式中、ｂは１〜３の整数を表し、Ｒ３は上記と同じ。）
を形成している、請求項１〜４記載のマグネシウム電池用電解液。
【請求項６】
前記一般式（Ｉ）における２個のＲ１が、それぞれ独立して、マグネシウムクロリドオキシ基（−OMgCl）；炭素数１〜６のアルキル基；炭素数１〜６のアルコキシ基；アルコキシ基を置換基として有していてもよいフェニル基；フェノキシ基；又は、下記式（５）：
2017204322.tif 000078
で示される基であるか；或いは、２個のＲ１が下記式（６）：
2017204322.tif 000079
を形成している、請求項１〜４記載のマグネシウム電池用電解液。
【請求項７】
前記一般式（Ｉ）におけるＸ１が塩素原子である、請求項１〜６記載のマグネシウム電池用電解液。
【請求項８】
一般式（Ａ）で示される化合物が、マグネシウムビス（トリフルオロメタンスルホニル）イミドである、請求項１〜７記載のマグネシウム電池用電解液。
【請求項９】
溶媒が、エーテル系溶媒、ハロゲン化炭化水素系溶媒、カーボネート系溶媒、ニトリル系溶媒又はスルホン系溶媒である、請求項１〜８記載のマグネシウム電池用電解液。
【請求項１０】
請求項１〜９の何れかに記載の電解液、正極及び負極を含む電気化学デバイス。
【請求項１１】
下記一般式（Ｉ’）で示される化合物：
2017204322.tif 000080
｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１）：
2017204322.tif 000081
（式中、ａは１〜３の整数を表し、Ｘ２は塩素原子又は臭素原子を表し、ａ個のＲ２は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表す。）
で示される基を表し；２個のＲ１が下記一般式（２）：
2017204322.tif 000082
（式中、ｂは１〜３の整数を表し、Ｒ２は上記と同じ。）
を形成していてもよい。ただし、（ｉ）ｍ＝２であり、ｎ＝０であり、且つ、２個のＲ１が同一の無置換の炭素数６〜１０のアリール基である場合、及び（ｉｉ）ｍ＝２であり、ｎ＝１であり、且つ、２個のＲ１が同一の炭素数１〜６のアルコキシ基である場合を除く。｝。
【発明の詳細な説明】
【技術分野】
【０００１】
本発明は、マグネシウムイオンを含有する電解液及び該電解液を含む電気化学デバイスに関する。
【背景技術】
【０００２】
マグネシウムは、そのイオンが多価イオンであるため、単位体積あたりの電気容量が大きい。また、マグネシウムはリチウムと比較して融点が高く、安全であることに加え、地球上での資源分布の偏りが小さく、資源量が豊富で安価であるというメリットもある。そのため、金属マグネシウムを負極としたマグネシウムイオン電池は、リチウムイオン電池に代わる次世代の電池として注目されている。【０００３】
しかしながら、金属マグネシウムを負極としたマグネシウムイオン電池においては、マグネシウムがその高い還元性に起因して電解液と反応することで、電極表面に不動態被膜が形成される。その結果、マグネシウムの可逆的な溶解・析出を阻害し、負極反応が困難となる。【０００４】
このような不動態被膜を形成しない電解液としては、グリニャール試薬ＲＭｇＸ（Ｒはアルキル基又はアリール基であり、Ｘは塩素又は臭素である。）をテトラヒドロフラン（THF）に溶解した電解液が知られており、マグネシウムの可逆的な溶解・析出が確認されている。しかし、グリニャール試薬ＲＭｇＸは強塩基性であることから安全性に問題があり、更には、酸化耐性が低く実用的でないという問題があった。【０００５】
そこで、強塩基性のグリニャール試薬や有機マグネシウム試薬と、アルミニウムを有するルイス酸とを混合することにより、安全性及び性能を向上させた電解液が開発されている。例えば、Aurbachらは、ジブチルマグネシウムBu2MgとエチルアルミニウムジクロリドEtAlCl2を混合したMg(AlCl2BuEt)2のTHF溶液を報告している（非特許文献１）。また、Wangらは、非求核的なフェノキシド系マグネシウム塩と塩化アルミニウムを混合した電解液を、Liaoらは、非求核的なアルコキシド系マグネシウム塩と塩化アルミニウムを混合した電解液をそれぞれ報告している（非特許文献２，３）。【０００６】
また、リチウムイオン電池用電解液としては、ヘキサフルオロリン酸リチウム（LiPF6）をカーボネート系溶媒に溶解させた電解液が広く実用化されているが、マグネシウムイオン電池用電解液ではリン元素を含む電解液の例は少ない。リン元素が使用された例としては、例えば、縮合リン酸とマグネシウムイオンを混合したエステル系電解液（特許文献１）や、含リン有機化合物、ハロゲン及びマグネシウムイオンを含む非水系マグネシウムイオン電解液などが報告されている（特許文献２）。
【先行技術文献】
【特許文献】
【０００７】
【特許文献１】特許第５６１７１３１号公報
【特許文献２】特許第５７８６５４０号公報
【非特許文献】
【０００８】
【非特許文献１】Nature, 407, p724-727 (2000)
【非特許文献２】Chem. Commun., 48, 10763-10765(2012)
【非特許文献３】J. Mater. Chem. A, 2, 581-584(2014)
【発明の概要】
【発明が解決しようとする課題】
【０００９】
上記非特許文献１〜３で報告されている電解液は、いずれもマグネシウムの可逆的な溶解・析出の挙動を示しているが、マグネシウムに対して2.5V程度の酸化安定性しか有しておらず、リチウムイオン電池の代替としてマグネシウムイオン電池を実用化するにはこれらの電解液の酸化耐性が不十分であった。また、上記特許文献１及び２で報告されているようなリン元素を含む電解液は、いずれもマグネシウムの可逆的な溶解・析出の挙動が明確に示されておらず、その酸化耐性も明らかになっていなかった。【００１０】
上記状況に鑑み、本発明者らは、鋭意検討の結果、リン酸類縁体又はその縮合体のマグネシウム塩と、ルイス酸又は特定構造のマグネシウムスルホンイミドとを、適切な溶媒中で混合してなる電解液が、3V以上の優れた酸化安定性を有することを見出し、本発明を完成するに至った。即ち、本発明は、マグネシウムに対して高い酸化耐性を有し、且つマグネシウムの溶解・析出が繰り返し安定的に進行する、実用性の高い電解液を提供することを目的とする。
【課題を解決するための手段】
【００１１】
本発明は、「下記一般式（Ｉ）で示される化合物と、ルイス酸又は下記一般式（Ａ）で示される化合物と、溶媒とを混合してなる、マグネシウム電池用電解液（以下、本発明の電解液と略記する場合がある）：
2017204322.tif 000003
｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１）：
2017204322.tif 000004
（式中、ａは１〜３の整数を表し、Ｘ２は塩素原子又は臭素原子を表し、ａ個のＲ２は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表す。）
で示される基を表し；２個のＲ１が下記一般式（２）：
2017204322.tif 000005
（式中、ｂは１〜３の整数を表し、Ｒ２は上記と同じ。）
を形成していてもよい。｝；
2017204322.tif 000006
（式中、４個のＲ10は、それぞれ独立して、炭素数１〜６のアルキル基、炭素数１〜６のパーフルオロアルキル基、フェニル基又はパーフルオロフェニル基を表す。）。」、
「上記電解液、正極及び負極を含む電気化学デバイス」及び
「下記一般式（Ｉ’）で示される化合物：
2017204322.tif 000007
｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１）：
2017204322.tif 000008
（式中、ａは１〜３の整数を表し、Ｘ２は塩素原子又は臭素原子を表し、ａ個のＲ２は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表す。）
で示される基を表し；２個のＲ１が下記一般式（２）：
2017204322.tif 000009
（式中、ｂは１〜３の整数を表し、Ｒ２は上記と同じ。）
を形成していてもよい。ただし、（ｉ）ｍ＝２であり、ｎ＝０であり、且つ、２個のＲ１が同一の無置換の炭素数６〜１０のアリール基である場合、及び（ｉｉ）ｍ＝２であり、ｎ＝１であり、且つ、２個のＲ１が同一の炭素数１〜６のアルコキシ基である場合を除く。｝」に関する。
【発明の効果】
【００１２】
本発明の電解液は、従来の電解液と比較して高い酸化耐性を有するため、高電圧のマグネシウム電池の電解液として用いることができる。また、本発明の電解液は、マグネシウム二次電池の電解液として用いた場合、マグネシウムの溶解・析出が繰り返し安定的に進行するという効果を奏する。更に、本発明の電解液は、容易に調製することができ、優れた保存安定性も有する。
【図面の簡単な説明】
【００１３】
【図１】実験例１における、電解液１［オルトリン酸トリス(マグネシウムクロリド)塩−塩化アルミニウム/トリグライム溶液］を用いたＣＶ測定で、調液直後及び調液から１ヶ月経過後に１０サイクルさせた結果を示したグラフを表す（調液直後：実線、１ヵ月経過後：破線）。
【図２】実験例１における、電解液２［オルトリン酸トリス(マグネシウムクロリド)塩−マグネシウムビス(トリフルオロメタンスルホニル)イミド/トリグライム溶液］を用いたＣＶ測定で１０サイクルさせた結果を示したグラフを表す。
【図３】実験例１における、電解液３［フェニルホスホン酸ビス(マグネシウムクロリド)塩−塩化アルミニウム/トリグライム溶液］を用いたＣＶ測定で１サイクル、１０サイクル、及び３０サイクルさせた結果を示したグラフを表す（１サイクル目：実線、１０サイクル目：破線、３０サイクル目：点線）。
【図４】実験例１における、電解液４［ジフェニルホスフィン酸マグネシウムクロリド塩−塩化アルミニウム/トリグライム溶液］を用いたＣＶ測定で１０サイクルさせた結果を示したグラフを表す。
【図５】実験例１における、電解液５［ジフェニルホスフィニルマグネシウムクロリド塩−塩化アルミニウム/トリグライム溶液］を用いたＣＶ測定で１０サイクルさせた結果を示したグラフを表す。
【図６】実験例１における、電解液６［フェニルホスフィン酸ビスマグネシウムクロリド塩−塩化アルミニウム/トリグライム溶液］を用いたＣＶ測定で１０サイクルさせた結果を示したグラフを表す。
【図７】実験例１における、電解液７［亜リン酸トリスマグネシウムクロリド塩−塩化アルミニウム/トリグライム溶液］を用いたＣＶ測定で１０サイクルさせた結果を示したグラフを表す。
【図８】実験例１における、電解液８［亜リン酸ジフェニルマグネシウムクロリド塩−塩化アルミニウム/トリグライム溶液］を用いたＣＶ測定で１０サイクルさせた結果を示したグラフを表す。
【図９】実験例１における、電解液９［リン酸ジフェニルマグネシウムクロリド塩−塩化アルミニウム/トリグライム溶液］を用いたＣＶ測定で１０サイクルさせた結果を示したグラフを表す。
【図１０】実験例１における、電解液１０［リン酸フェニルビスマグネシウムクロリド塩−塩化アルミニウム/トリグライム溶液］を用いたＣＶ測定で１０サイクルさせた結果を示したグラフを表す。
【図１１】実験例１における、電解液１１［ビス(4-メトキシフェニル)ホスフィン酸マグネシウムクロリド塩−塩化アルミニウム/THF溶液］を用いたＣＶ測定で１０サイクルさせた結果を示したグラフを表す。
【図１２】実験例１における、電解液１２［メチルホスホン酸ビスマグネシウムクロリド塩−塩化アルミニウム/THF-トリグライム溶液］を用いたＣＶ測定で１０サイクルさせた結果を示したグラフを表す。
【図１３】実験例１における、電解液１３［二リン酸テトラマグネシウムクロリド塩−塩化アルミニウム/トリグライム溶液］を用いたＣＶ測定で１０サイクルさせた結果を示したグラフを表す。
【図１４】実験例１における、比較電解液１［(tert-BuOMgCl)6-AlCl3/THF溶液］を用いたＣＶ測定で１０サイクルさせた結果を示したグラフを表す。
【図１５】実験例１における、比較電解液２［Mg(ClO4)2-I2/リン酸トリメチル溶液］を用いたＣＶ測定で１０サイクルさせた結果を示したグラフを表す。
【図１６】実験例２における、電解液１［オルトリン酸トリス(マグネシウムクロリド)塩−塩化アルミニウム/トリグライム溶液］を用いた充放電試験で、１サイクル及び５サイクルさせた結果を示したグラフを表す（１サイクル目：実線、５サイクル目：点線）。
【発明を実施するための形態】
【００１４】
［一般式（Ｉ）で示される化合物］
【００１５】
一般式（Ｉ）におけるｍとしては、２が好ましい。
【００１６】
一般式（Ｉ）におけるｎは、ｍ＝０の場合、２であり、ｍ＝２の場合、０又は１であり、１が好ましい。
【００１７】
一般式（Ｉ）におけるＸ１は、塩素原子又は臭素原子を表し、塩素原子が好ましい。
【００１８】
一般式（Ｉ）のＲ１における炭素数１〜６のアルキル基としては、直鎖状、分枝状及び環状のうちいずれであってもよく、直鎖状及び分枝状が好ましく、直鎖状がより好ましい。また、炭素数１〜６のアルキル基の中でも、炭素数１〜４のものが好ましく、炭素数１又は２のものがより好ましい。具体的には例えば、メチル基、エチル基、n-プロピル基、イソプロピル基、n-ブチル基、イソブチル基、sec-ブチル基、tert-ブチル基、シクロブチル基、n-ペンチル基、イソペンチル基、sec-ペンチル基、tert-ペンチル基、ネオペンチル基、2-メチルブチル基、1,2-ジメチルプロピル基、1-エチルプロピル基、シクロペンチル基、n-ヘキシル基、イソヘキシル基、sec-ヘキシル基、tert-ヘキシル基、ネオヘキシル基、2-メチルペンチル基、1,2-ジメチルブチル基、2,3-ジメチルブチル基、1-エチルブチル基、シクロヘキシル基等が挙げられ、メチル基、エチル基、n-プロピル基、イソプロピル基、n-ブチル基、イソブチル基、sec-ブチル基、tert-ブチル基が好ましく、メチル基、エチル基、n-プロピル基、n-ブチル基がより好ましく、メチル基、エチル基がさらに好ましく、メチル基が特に好ましい。
【００１９】
Ｒ１における炭素数１〜６のアルキル基の置換基としてのハロゲノ基としては、フルオロ基、クロロ基、ブロモ基、ヨード基が挙げられ、フルオロ基が好ましい。
【００２０】
Ｒ１におけるハロゲノ基を置換基として有する炭素数１〜６のアルキル基は、該アルキル基上の１〜１３個の水素原子がハロゲノ基で置換されているものであり、１〜３個又は全ての水素原子が置換されているものが好ましく、１個又は全ての水素原子が置換されているものがより好ましく、全ての水素原子が置換されているもの（パーハロゲノアルキル基）が特に好ましい。該ハロゲノ基はアルキル基上のいずれに位置していてもよく、アルキル基の末端に位置しているものが好ましい。
【００２１】
Ｒ１におけるハロゲノ基を置換基として有する炭素数１〜６のアルキル基の具体例としては、例えば、トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基、フルオロメチル基、フルオロエチル基、フルオロ-n-プロピル基、フルオロイソプロピル基、フルオロ-n-ブチル基、フルオロイソブチル基、フルオロ-sec-ブチル基、フルオロ-tert-ブチル基等が挙げられ、トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基が好ましく、トリフルオロメチル基、ペンタフルオロエチル基、ヘプタフルオロ-n-プロピル基、パーフルオロ-n-ブチル基がより好ましく、トリフルオロメチル基が特に好ましい。
【００２２】
Ｒ１における炭素数１〜６のアルキル基の置換基としてのアルコキシ基としては、通常炭素数１〜６であり、炭素数１〜４が好ましく、炭素数１又は２がより好ましい。また、直鎖状、分枝状及び環状のうちいずれであってもよく、直鎖状及び分枝状が好ましく、直鎖状がより好ましい。具体的には例えば、メトキシ基、エトキシ基、n-プロポキシ基、イソプロポキシ基、n-ブトキシ基、イソブトキシ基、sec-ブトキシ基、tert-ブトキシ基、シクロブトキシ基、n-ペンチルオキシ基、イソペンチルオキシ基、sec-ペンチルオキシ基、tert-ペンチルオキシ基、ネオペンチルオキシ基、2-メチルブトキシ基、1,2-ジメチルプロポキシ基、1-エチルプロポキシ基、シクロペンチルオキシ基、n-ヘキシルオキシ基、イソヘキシルオキシ基、sec-ヘキシルオキシ基、tert-ヘキシルオキシ基、ネオヘキシルオキシ基、2-メチルペンチルオキシ基、1,2-ジメチルブトキシ基、2,3-ジメチルブトキシ基、1-エチルブトキシ基、シクロヘキシルオキシ基等が挙げられ、メトキシ基、エトキシ基、n-プロポキシ基、イソプロポキシ基、n-ブトキシ基、イソブトキシ基、sec-ブトキシ基、tert-ブトキシ基が好ましく、メトキシ基、エトキシ基、n-プロポキシ基、n-ブトキシ基がより好ましく、メトキシ基、エトキシ基がさらに好ましく、メトキシ基が特に好ましい。
【００２３】
Ｒ１におけるアルコキシ基を置換基として有する炭素数１〜６のアルキル基の置換基の数としては、通常１〜３個、好ましくは１個である。該アルコキシ基はアルキル基上のいずれに位置していてもよく、アルキル基の末端に位置しているものが好ましい。
【００２４】
Ｒ１におけるアルコキシ基を置換基として有する炭素数１〜６のアルキル基の具体例としては、例えば、メトキシメチル基、エトキシメチル基、n-プロポキシメチル基、イソプロポキシメチル基、n-ブトキシメチル基、イソブトキシメチル基、sec-ブトキシメチル基、tert-ブトキシメチル基、メトキシエチル基、エトキシエチル基、n-プロポキシエチル基、イソプロポキシエチル基、n-ブトキシエチル基、イソブトキシエチル基、sec-ブトキシエチル基、tert-ブトキシエチル基、メトキシ-n-プロピル基、エトキシ-n-プロピル基、n-プロポキシ-n-プロピル基、イソプロポキシ-n-プロピル基、n-ブトキシ-n-プロピル基、イソブトキシ-n-プロピル基、sec-ブトキシ-n-プロピル基、tert-ブトキシ-n-プロピル基、メトキシ-n-ブチル基、エトキシ-n-ブチル基、n-プロポキシ-n-ブチル基、イソプロポキシ-n-ブチル基、n-ブトキシ-n-ブチル基、イソブトキシ-n-ブチル基、sec-ブトキシ-n-ブチル基、tert-ブトキシ-n-ブチル基等が挙げられ、メトキシメチル基、エトキシメチル基、メトキシエチル基、エトキシエチル基、メトキシ-n-プロピル基、エトキシ-n-プロピル基、メトキシ-n-ブチル基、エトキシ-n-ブチル基が好ましく、メトキシメチル基、エトキシメチル基、メトキシエチル基、エトキシエチル基がより好ましい。
【００２５】
一般式（Ｉ）のＲ１におけるハロゲノ基又はアルコキシ基を置換基として有していてもよい炭素数１〜６のアルキル基としては、ハロゲノ基若しくは炭素数１〜６のアルコキシ基を置換基として有する、又は無置換の炭素数１〜６のアルキル基が好ましく、フルオロ基若しくは炭素数１〜４のアルコキシ基を置換基として有する、又は無置換の炭素数１〜６のアルキル基がより好ましく、無置換の炭素数１〜６のアルキル基が特に好ましい。
【００２６】
一般式（Ｉ）のＲ１におけるハロゲノ基又はアルコキシ基を置換基として有していてもよい炭素数１〜６のアルキル基の好ましい具体例としては、上述した具体例の中でも、メチル基、エチル基、n-プロピル基、イソプロピル基、n-ブチル基、イソブチル基、sec-ブチル基、tert-ブチル基；トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基；メトキシメチル基、エトキシメチル基、メトキシエチル基、エトキシエチル基、メトキシ-n-プロピル基、エトキシ-n-プロピル基、メトキシ-n-ブチル基、エトキシ-n-ブチル基が挙げられ、メチル基、エチル基、n-プロピル基、n-ブチル基；トリフルオロメチル基、ペンタフルオロエチル基、ヘプタフルオロ-n-プロピル基、パーフルオロ-n-ブチル基；メトキシメチル基、エトキシメチル基、メトキシエチル基、エトキシエチル基が好ましく、メチル基、エチル基、n-プロピル基、n-ブチル基がより好ましく、メチル基、エチル基がさらに好ましく、メチル基が特に好ましい。
【００２７】
一般式（Ｉ）のＲ１における炭素数１〜６のアルコキシ基としては、直鎖状、分枝状及び環状のうちいずれであってもよく、直鎖状及び分枝状が好ましく、直鎖状がより好ましい。また、炭素数１〜６のアルコキシ基の中でも、炭素数１〜４のものが好ましく、炭素数１又は２のものがより好ましい。具体的には、Ｒ１における炭素数１〜６のアルキル基の置換基としてのアルコキシ基の具体例と同じものが挙げられ、好ましいものも同じである。
【００２８】
一般式（Ｉ）のＲ１における炭素数６〜１０のアリール基としては、フェニル基、ナフチル基等が挙げられ、フェニル基が好ましい。
【００２９】
Ｒ１における炭素数６〜１０のアリール基の置換基としてのハロゲノ基としては、フルオロ基、クロロ基、ブロモ基、ヨード基が挙げられ、フルオロ基が好ましい。
【００３０】
Ｒ１における炭素数６〜１０のアリール基の置換基としてのアルキル基としては、通常炭素数１〜６であり、炭素数１〜４が好ましく、炭素数１又は２のものがより好ましい。また、直鎖状、分枝状及び環状のうちいずれであってもよく、直鎖状及び分枝状が好ましく、直鎖状がより好ましい。具体的には、Ｒ１における炭素数１〜６のアルキル基の具体例と同じものが挙げられ、好ましいものも同じである。
【００３１】
Ｒ１における炭素数６〜１０のアリール基の置換基としてのハロゲノアルキル基としては、通常炭素数１〜６であり、炭素数１〜４が好ましく、炭素数１又は２がより好ましい。また、直鎖状、分枝状及び環状のうちいずれであってもよく、直鎖状及び分枝状が好ましく、直鎖状がより好ましい。具体的には例えば、フルオロアルキル基、クロロアルキル基、ブロモアルキル基、ヨードアルキル基が挙げられ、フルオロアルキル基が好ましく、中でもパーフルオロアルキル基、モノフルオロアルキル基がより好ましく、パーフルオロアルキル基が特に好ましい。より具体的には、Ｒ１におけるハロゲノ基を置換基として有する炭素数１〜６のアルキル基の具体例と同じものが挙げられ、好ましいものも同じである。
【００３２】
Ｒ１における炭素数６〜１０のアリール基の置換基としてのアルコキシ基としては、Ｒ１における炭素数１〜６のアルキル基の置換基としてのアルコキシ基と同じものが挙げられ、好ましいものも同じである。
【００３３】
Ｒ１におけるハロゲノ基、アルキル基、ハロゲノアルキル基、又はアルコキシ基を置換基として有する炭素数６〜１０のアリール基の置換基の数としては、通常１〜７個、好ましくは１〜５個、より好ましくは１〜２個、特に好ましくは１個である。該アリール基はいずれの位置に置換基を有していてもよい。尚、該アリール基がフェニル基である場合、該フェニル基はオルト位、メタ位、パラ位のいずれの位置に置換基を有していてもよく、パラ位に置換基を有するものが好ましい。
【００３４】
一般式（Ｉ）のＲ１におけるハロゲノ基、アルキル基、ハロゲノアルキル基、又はアルコキシ基を置換基として有していてもよい炭素数６〜１０のアリール基としては、ハロゲノ基、アルキル基、ハロゲノアルキル基、若しくはアルコキシ基を置換基として有する、又は無置換のフェニル基が好ましく、アルキル基若しくはアルコキシ基を置換基として有する、又は無置換のフェニル基がより好ましく、アルコキシ基を置換基として有する、又は無置換のフェニル基がさらに好ましく、無置換のフェニル基が特に好ましい。
【００３５】
一般式（Ｉ）のＲ１におけるハロゲノ基、アルキル基、ハロゲノアルキル基、又はアルコキシ基を置換基として有していてもよい炭素数６〜１０のアリール基の具体例としては、例えば、フェニル基；フルオロフェニル基、パーフルオロフェニル基；メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；トリフルオロメチルフェニル基、ペンタフルオロエチルフェニル基、ヘプタフルオロ-n-プロピルフェニル基、パーフルオロ-n-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基等が挙げられる。
【００３６】
上記具体例の中でも、フェニル基；メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基が好ましく、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基がより好ましく、フェニル基、メトキシフェニル基、エトキシフェニル基がさらに好ましく、フェニル基が特に好ましい。
【００３７】
一般式（Ｉ）のＲ１における炭素数６〜１０のアリールオキシ基としては、フェノキシ基、ナフチルオキシ基等が挙げられ、フェノキシ基が好ましい。
【００３８】
Ｒ１における炭素数６〜１０のアリールオキシ基の置換基としてのハロゲノ基、アルキル基、ハロゲノアルキル基及びアルコキシ基としては、Ｒ１における炭素数６〜１０のアリール基の置換基としてのそれらと同じものが挙げられ、好ましいものも同じである。
【００３９】
Ｒ１におけるハロゲノ基、アルキル基、ハロゲノアルキル基、又はアルコキシ基を置換基として有する炭素数６〜１０のアリールオキシ基の置換基の数としては、通常１〜７個、好ましくは１〜５個、より好ましくは１〜２個、特に好ましくは１個である。該アリールオキシ基はいずれの位置に置換基を有していてもよい。尚、該アリールオキシ基がフェノキシ基である場合、該フェノキシ基はオルト位、メタ位、パラ位のいずれの位置に置換基を有していてもよく、パラ位に置換基を有するものが好ましい。
【００４０】
一般式（Ｉ）のＲ１におけるハロゲノ基、アルキル基、ハロゲノアルキル基、又はアルコキシ基を置換基として有していてもよい炭素数６〜１０のアリールオキシ基としては、ハロゲノ基、アルキル基、ハロゲノアルキル基、若しくはアルコキシ基を置換基として有する、又は無置換のフェノキシ基が好ましく、アルキル基若しくはアルコキシ基を置換基として有する、又は無置換のフェノキシ基がより好ましく、無置換のフェノキシ基が特に好ましい。
【００４１】
一般式（Ｉ）のＲ１におけるハロゲノ基、アルキル基、ハロゲノアルキル基、又はアルコキシ基を置換基として有していてもよい炭素数６〜１０のアリールオキシ基の具体例としては、例えば、フェノキシ基；フルオロフェノキシ基、パーフルオロフェノキシ基；メチルフェノキシ基、エチルフェノキシ基、n-プロピルフェノキシ基、イソプロピルフェノキシ基、n-ブチルフェノキシ基、イソブチルフェノキシ基、sec-ブチルフェノキシ基、tert-ブチルフェノキシ基；トリフルオロメチルフェノキシ基、ペンタフルオロエチルフェノキシ基、ヘプタフルオロ-n-プロピルフェノキシ基、パーフルオロ-n-ブチルフェノキシ基；メトキシフェノキシ基、エトキシフェノキシ基、n-プロポキシフェノキシ基、イソプロポキシフェノキシ基、n-ブトキシフェノキシ基、イソブトキシフェノキシ基、sec-ブトキシフェノキシ基、tert-ブトキシフェノキシ基等が挙げられる。
【００４２】
上記具体例の中でも、フェノキシ基；メチルフェノキシ基、エチルフェノキシ基、n-プロピルフェノキシ基、イソプロピルフェノキシ基、n-ブチルフェノキシ基、イソブチルフェノキシ基、sec-ブチルフェノキシ基、tert-ブチルフェノキシ基；メトキシフェノキシ基、エトキシフェノキシ基、n-プロポキシフェノキシ基、イソプロポキシフェノキシ基、n-ブトキシフェノキシ基、イソブトキシフェノキシ基、sec-ブトキシフェノキシ基、tert-ブトキシフェノキシ基が好ましく、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基がより好ましく、フェノキシ基が特に好ましい。
【００４３】
一般式（１）におけるａとしては、１又は２が好ましく、１がより好ましい。
【００４４】
一般式（１）におけるＸ２は、塩素原子又は臭素原子を表し、塩素原子が好ましい。
【００４５】
一般式（１）及び一般式（２）のＲ２におけるハロゲノ基又はアルコキシ基を置換基として有していてもよい炭素数１〜６のアルキル基；炭素数１〜６のアルコキシ基；ハロゲノ基、アルキル基、ハロゲノアルキル基、又はアルコキシ基を置換基として有していてもよい炭素数６〜１０のアリール基；及び、ハロゲノ基、アルキル基、ハロゲノアルキル基、又はアルコキシ基を置換基として有していてもよい炭素数６〜１０のアリールオキシ基としては、一般式（Ｉ）のＲ１におけるそれらと同じものが挙げられ、好ましいものも同じである。
【００４６】
一般式（１）及び一般式（２）におけるＲ２としては、マグネシウムクロリドオキシ基；炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基が好ましく、マグネシウムクロリドオキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基がより好ましく、マグネシウムクロリドオキシ基、炭素数１〜６のアルキル基、炭素数１〜６のアルコキシ基、フェニル基及びフェノキシ基がさらに好ましく、マグネシウムクロリドオキシ基、炭素数１〜４のアルキル基、フェニル基及びフェノキシ基が特に好ましい。これらの好ましい具体例としては、マグネシウムクロリドオキシ基、メチル基、エチル基、n-プロピル基、n-ブチル基、フェニル基、フェノキシ基等が挙げられ、マグネシウムクロリドオキシ基が好ましい。
【００４７】
一般式（１）の好ましい具体例としては、下記一般式（３）が挙げられる。
2017204322.tif 000010
（式中、ａ個のＲ３は、それぞれ独立して、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表し、ａは上記と同じ。）
【００４８】
一般式（３）のＲ３における炭素数１〜６のアルキル基及び炭素数１〜６のアルコキシ基としては、一般式（Ｉ）のＲ１におけるそれらと同じものが挙げられ、好ましいものも同じである。
【００４９】
Ｒ３におけるフェニル基の置換基としてのハロゲノ基、アルキル基、ハロゲノアルキル基及びアルコキシ基としては、一般式（Ｉ）のＲ１における炭素数６〜１０のアリール基の置換基としてのそれらと同じものが挙げられ、好ましいものも同じである。
【００５０】
Ｒ３におけるハロゲノ基、アルキル基、ハロゲノアルキル基、又はアルコキシ基を置換基として有するフェニル基の置換基の数としては、通常１〜５個、好ましくは１〜２個、より好ましくは１個である。該フェニル基はオルト位、メタ位、パラ位のいずれの位置に置換基を有していてもよく、パラ位に置換基を有するものが好ましい。
【００５１】
一般式（３）のＲ３におけるハロゲノ基、アルキル基、ハロゲノアルキル基、又はアルコキシ基を置換基として有していてもよいフェニル基としては、アルキル基若しくはアルコキシ基を置換基として有する、又は無置換のフェニル基が好ましく、無置換のフェニル基がより好ましい。
【００５２】
一般式（３）のＲ３におけるハロゲノ基、アルキル基、ハロゲノアルキル基、又はアルコキシ基を置換基として有していてもよいフェニル基の具体例としては、例えば、フェニル基；フルオロフェニル基、パーフルオロフェニル基；メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；トリフルオロメチルフェニル基、ペンタフルオロエチルフェニル基、ヘプタフルオロ-n-プロピルフェニル基、パーフルオロ-n-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基等が挙げられる。
【００５３】
上記具体例の中でも、フェニル基；メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基が好ましく、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基がより好ましく、フェニル基が特に好ましい。
【００５４】
Ｒ３におけるフェノキシ基の置換基としてのハロゲノ基、アルキル基、ハロゲノアルキル基及びアルコキシ基としては、一般式（Ｉ）のＲ１における炭素数６〜１０のアリール基の置換基としてのそれらと同じものが挙げられ、好ましいものも同じである。
【００５５】
Ｒ３におけるハロゲノ基、アルキル基、ハロゲノアルキル基、又はアルコキシ基を置換基として有するフェノキシ基の置換基の数としては、通常１〜５個、好ましくは１〜２個、より好ましくは１個である。該フェノキシ基はオルト位、メタ位、パラ位のいずれの位置に置換基を有していてもよく、パラ位に置換基を有するものが好ましい。
【００５６】
一般式（３）のＲ３におけるハロゲノ基、アルキル基、ハロゲノアルキル基、又はアルコキシ基を置換基として有していてもよいフェノキシ基としては、アルキル基若しくはアルコキシ基を置換基として有する、又は無置換のフェノキシ基が好ましく、無置換のフェノキシ基がより好ましい。
【００５７】
一般式（３）のＲ３におけるハロゲノ基、アルキル基、ハロゲノアルキル基、又はアルコキシ基を置換基として有していてもよいフェノキシ基の具体例としては、例えば、フェノキシ基；フルオロフェノキシ基、パーフルオロフェノキシ基；メチルフェノキシ基、エチルフェノキシ基、n-プロピルフェノキシ基、イソプロピルフェノキシ基、n-ブチルフェノキシ基、イソブチルフェノキシ基、sec-ブチルフェノキシ基、tert-ブチルフェノキシ基；トリフルオロメチルフェノキシ基、ペンタフルオロエチルフェノキシ基、ヘプタフルオロ-n-プロピルフェノキシ基、パーフルオロ-n-ブチルフェノキシ基；メトキシフェノキシ基、エトキシフェノキシ基、n-プロポキシフェノキシ基、イソプロポキシフェノキシ基、n-ブトキシフェノキシ基、イソブトキシフェノキシ基、sec-ブトキシフェノキシ基、tert-ブトキシフェノキシ基等が挙げられる。
【００５８】
上記具体例の中でも、フェノキシ基；メチルフェノキシ基、エチルフェノキシ基、n-プロピルフェノキシ基、イソプロピルフェノキシ基、n-ブチルフェノキシ基、イソブチルフェノキシ基、sec-ブチルフェノキシ基、tert-ブチルフェノキシ基；メトキシフェノキシ基、エトキシフェノキシ基、n-プロポキシフェノキシ基、イソプロポキシフェノキシ基、n-ブトキシフェノキシ基、イソブトキシフェノキシ基、sec-ブトキシフェノキシ基、tert-ブトキシフェノキシ基が好ましく、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基がより好ましく、フェノキシ基が特に好ましい。
【００５９】
一般式（３）におけるＲ３としては、マグネシウムクロリドオキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基が好ましく、マグネシウムクロリドオキシ基、炭素数１〜６のアルキル基、炭素数１〜６のアルコキシ基、フェニル基及びフェノキシ基がより好ましく、マグネシウムクロリドオキシ基、炭素数１〜４のアルキル基、フェニル基及びフェノキシ基が特に好ましい。これらの好ましい具体例としては、マグネシウムクロリドオキシ基、メチル基、エチル基、n-プロピル基、n-ブチル基、フェニル基、フェノキシ基等が挙げられ、マグネシウムクロリドオキシ基が好ましい。
【００６０】
一般式（１）のより好ましい具体例としては、下記式（５）が挙げられる。
2017204322.tif 000011
【００６１】
一般式（２）におけるｂとしては、１又は２が好ましく、２がより好ましい。
【００６２】
一般式（Ｉ）における２個のＲ１が一般式（２）を形成しているとき、一般式（Ｉ）は下記一般式（７）で示される環構造である；
2017204322.tif 000012
（式中、ｎ’は、０又は１を表し、Ｘ１、Ｒ２及びｂは上記と同じ。）
【００６３】
一般式（７）におけるｎ’としては、１が好ましい。
【００６４】
一般式（２）の好ましい具体例としては、下記一般式（４）が挙げられる。
2017204322.tif 000013
（式中、Ｒ３及びｂは上記と同じ。）
【００６５】
一般式（２）のより好ましい具体例としては、下記式（６）が挙げられる。
2017204322.tif 000014
【００６６】
一般式（Ｉ）におけるＲ１としては、マグネシウムクロリドオキシ基；炭素数１〜６のアルキル基；炭素数１〜６のアルコキシ基；ハロゲノ基、アルキル基、ハロゲノアルキル基、又はアルコキシ基を置換基として有していてもよいフェニル基；ハロゲノ基、アルキル基、ハロゲノアルキル基、又はアルコキシ基を置換基として有していてもよいフェノキシ基；上記一般式（３）で示される基；及び、２個のＲ１が上記一般式（４）を形成しているのが好ましく、マグネシウムクロリドオキシ基；炭素数１〜６のアルキル基；炭素数１〜６のアルコキシ基；アルキル基又はアルコキシ基を置換基として有していてもよいフェニル基；アルキル基又はアルコキシ基を置換基として有していてもよいフェノキシ基；上記一般式（３）で示される基；及び、２個のＲ１が上記一般式（４）を形成しているのがより好ましく、マグネシウムクロリドオキシ基；炭素数１〜６のアルキル基；炭素数１〜６のアルコキシ基；アルコキシ基を置換基として有していてもよいフェニル基；フェノキシ基；上記式（５）で示される基；及び、２個のＲ１が上記式（６）を形成しているのがさらに好ましく、マグネシウムクロリドオキシ基；炭素数１〜４のアルキル基；アルコキシ基を置換基として有していてもよいフェニル基；フェノキシ基；及び、上記式（５）で示される基が特に好ましい。
【００６７】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、上記式（５）で示される基、２個のＲ１で形成された上記式（６）等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基、上記式（５）で示される基、２個のＲ１で形成された上記式（６）が好ましく、マグネシウムクロリドオキシ基、メチル基、エチル基、フェニル基、メトキシフェニル基、エトキシフェニル基、フェノキシ基、上記式（５）で示される基がより好ましく、マグネシウムクロリドオキシ基、メチル基、フェニル基、メトキシフェニル基、フェノキシ基、上記式（５）で示される基が特に好ましい。
【００６８】
一般式（Ｉ）の好ましい具体例としては、下記一般式（Ｉ−Ｉ）又は（Ｉ−ＩＩ）が挙げられる。
2017204322.tif 000015
（式中、Ｒ４は、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表し、Ｒ５は、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；ハロゲノ基、アルキル基、ハロゲノアルキル基、若しくはアルコキシ基を置換基として有していてもよいフェノキシ基；又は、上記一般式（３）で示される基を表し、Ｒ４とＲ５とで上記一般式（４）を形成していてもよい。）
【００６９】
2017204322.tif 000016
（式中、Ｒ６及びＲ７は、それぞれ独立して、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表す。）
【００７０】
Ｒ４〜Ｒ７における炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基としては、一般式（３）におけるＲ３のそれらと同じものが挙げられ、好ましいものも同じである。
【００７１】
一般式（Ｉ−Ｉ）におけるＲ４としては、マグネシウムクロリドオキシ基；炭素数１〜６のアルキル基；炭素数１〜６のアルコキシ基；アルキル基又はアルコキシ基を置換基として有していてもよいフェニル基；アルキル基又はアルコキシ基を置換基として有していてもよいフェノキシ基；及び、Ｒ４とＲ５とで上記一般式（４）を形成しているのが好ましく、マグネシウムクロリドオキシ基；炭素数１〜６のアルキル基；炭素数１〜６のアルコキシ基；アルコキシ基を置換基として有していてもよいフェニル基；フェノキシ基；及び、Ｒ４とＲ５とで上記式（６）を形成しているのがより好ましく、マグネシウムクロリドオキシ基；炭素数１〜４のアルキル基；アルコキシ基を置換基として有していてもよいフェニル基；及びフェノキシ基が特に好ましい。
【００７２】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、Ｒ４とＲ５とで形成された上記式（６）等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基、Ｒ４とＲ５とで形成された上記式（６）が好ましく、マグネシウムクロリドオキシ基、メチル基、エチル基、フェニル基、メトキシフェニル基、エトキシフェニル基、フェノキシ基がより好ましく、マグネシウムクロリドオキシ基、メチル基、フェニル基、メトキシフェニル基、フェノキシ基が特に好ましい。
【００７３】
一般式（Ｉ−Ｉ）におけるＲ５としては、マグネシウムクロリドオキシ基；炭素数１〜６のアルキル基；炭素数１〜６のアルコキシ基；アルキル基又はアルコキシ基を置換基として有していてもよいフェニル基；アルキル基又はアルコキシ基を置換基として有していてもよいフェノキシ基；上記一般式（３）で示される基；及び、Ｒ４とＲ５とで上記一般式（４）を形成しているのが好ましく、マグネシウムクロリドオキシ基；炭素数１〜６のアルキル基；炭素数１〜６のアルコキシ基；アルコキシ基を置換基として有していてもよいフェニル基；フェノキシ基；上記式（５）で示される基；及び、Ｒ４とＲ５とで上記式（６）を形成しているのがより好ましく、マグネシウムクロリドオキシ基；炭素数１〜４のアルキル基；アルコキシ基を置換基として有していてもよいフェニル基；フェノキシ基；及び、上記式（５）で示される基が特に好ましい。
【００７４】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、上記式（５）で示される基、Ｒ４とＲ５とで形成された上記式（６）等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基、上記式（５）で示される基、Ｒ４とＲ５とで形成された上記式（６）が好ましく、マグネシウムクロリドオキシ基、メチル基、エチル基、フェニル基、メトキシフェニル基、エトキシフェニル基、フェノキシ基、上記式（５）で示される基がより好ましく、マグネシウムクロリドオキシ基、メチル基、フェニル基、メトキシフェニル基、フェノキシ基、上記式（５）で示される基が特に好ましい。
【００７５】
一般式（Ｉ−Ｉ）におけるＲ４とＲ５との組み合わせとしては、下記表１に記載の組み合わせ１〜１９が好ましく、組み合わせ１〜４，６，７，１０〜１３，１５，１６，１９がより好ましく、組み合わせ１，２，４，６，７，１０，１１，１３，１５，１６がさらに好ましく、組み合わせ１，２，４，７，１０，１３，１５，１６が特に好ましい。
【００７６】
【表１】
2017204322.tif 000017
【００７７】
一般式（Ｉ−Ｉ）の好ましい具体例としては、例えば下記のものが挙げられる。
2017204322.tif 000018
【００７８】
2017204322.tif 000019
【００７９】
上記の好ましい具体例の中でも、下記のものがより好ましい。
2017204322.tif 000020
【００８０】
上記の好ましい具体例の中でも、下記のものが特に好ましい。
2017204322.tif 000021
【００８１】
一般式（Ｉ−ＩＩ）におけるＲ６及びＲ７としては、マグネシウムクロリドオキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基が好ましく、マグネシウムクロリドオキシ基；炭素数１〜６のアルキル基；炭素数１〜６のアルコキシ基；アルコキシ基を置換基として有していてもよいフェニル基；及び、フェノキシ基がより好ましく、マグネシウムクロリドオキシ基；炭素数１〜４のアルキル基；アルコキシ基を置換基として有していてもよいフェニル基；及び、フェノキシ基が特に好ましい。
【００８２】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基が好ましく、マグネシウムクロリドオキシ基、メチル基、エチル基、フェニル基、メトキシフェニル基、エトキシフェニル基、フェノキシ基がより好ましく、マグネシウムクロリドオキシ基、フェニル基、フェノキシ基が特に好ましい。
【００８３】
一般式（Ｉ−ＩＩ）におけるＲ６とＲ７との組み合わせとしては、下記表２に記載の組み合わせ１〜１７が好ましく、組み合わせ１〜４，６，７，１０〜１２，１４，１５がより好ましく、組み合わせ１，２，４，６，７，１０，１２，１４，１５がさらに好ましく、組み合わせ１，２，４，７，１０，１２，１５がさらにより好ましく、組み合わせ１，４，１２，１５が特に好ましい。
【００８４】
【表２】
2017204322.tif 000022
【００８５】
一般式（Ｉ−ＩＩ）の好ましい具体例としては、例えば下記のものが挙げられる。
2017204322.tif 000023
【００８６】
2017204322.tif 000024
【００８７】
上記の好ましい具体例の中でも、下記のものがより好ましい。
2017204322.tif 000025
【００８８】
上記の好ましい具体例の中でも、下記のものが特に好ましい。
2017204322.tif 000026
【００８９】
［一般式（Ｉ）で示される化合物の製造方法］
本発明に係る一般式（Ｉ）で示される化合物は、例えば下記式（ＩＩ）、一般式（ＩＩＩ）又は一般式（ＩＶ）で示される化合物とグリニャール試薬とを、溶媒中で反応させることにより得ることができる。
2017204322.tif 000027
｛式中、２個のＲ11は、それぞれ独立して、ヒドロキシ基；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１１）：
2017204322.tif 000028
（式中、ａ個のＲ12は、それぞれ独立して、ヒドロキシ基；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表し、ａは上記と同じ。）
で示される基を表し；２個のＲ11が下記一般式（１２）：
2017204322.tif 000029
（式中、Ｒ１２及びｂは上記と同じ。）
を形成していてもよい。｝
【００９０】
一般式（ＩＩＩ）及び（ＩＶ）のＲ11におけるハロゲノ基又はアルコキシ基を置換基として有していてもよい炭素数１〜６のアルキル基；炭素数１〜６のアルコキシ基；ハロゲノ基、アルキル基、ハロゲノアルキル基、又はアルコキシ基を置換基として有していてもよい炭素数６〜１０のアリール基；及び、ハロゲノ基、アルキル基、ハロゲノアルキル基、又はアルコキシ基を置換基として有していてもよい炭素数６〜１０のアリールオキシ基としては、一般式（Ｉ）のＲ1におけるそれらと同じものが挙げられ、好ましいものも同じである。
【００９１】
一般式（１１）及び一般式（１２）のＲ12におけるハロゲノ基又はアルコキシ基を置換基として有していてもよい炭素数１〜６のアルキル基；炭素数１〜６のアルコキシ基；ハロゲノ基、アルキル基、ハロゲノアルキル基、又はアルコキシ基を置換基として有していてもよい炭素数６〜１０のアリール基；及び、ハロゲノ基、アルキル基、ハロゲノアルキル基、又はアルコキシ基を置換基として有していてもよい炭素数６〜１０のアリールオキシ基としては、一般式（Ｉ）のＲ1におけるそれらと同じものが挙げられ、好ましいものも同じである。
【００９２】
一般式（１１）及び一般式（１２）におけるＲ12としては、ヒドロキシ基；炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基が好ましく、ヒドロキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基がより好ましく、ヒドロキシ基、炭素数１〜６のアルキル基、炭素数１〜６のアルコキシ基、フェニル基及びフェノキシ基がさらに好ましく、ヒドロキシ基、炭素数１〜４のアルキル基、フェニル基及びフェノキシ基が特に好ましい。これらの好ましい具体例としては、ヒドロキシ基、メチル基、エチル基、n-プロピル基、n-ブチル基、フェニル基、フェノキシ基等が挙げられ、ヒドロキシ基が好ましい。
【００９３】
一般式（１１）の好ましい具体例としては、下記一般式（１３）が挙げられる。
2017204322.tif 000030
（式中、ａ個のＲ13は、それぞれ独立して、ヒドロキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表し、ａは上記と同じ。）
【００９４】
一般式（１３）のＲ13における炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基としては、一般式（３）のＲ3におけるそれらと同じものが挙げられ、好ましいものも同じである。
【００９５】
一般式（１３）におけるＲ13としては、ヒドロキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基が好ましく、ヒドロキシ基、炭素数１〜６のアルキル基、炭素数１〜６のアルコキシ基、フェニル基及びフェノキシ基がより好ましく、マグネシウムクロリドオキシ基、炭素数１〜４のアルキル基、フェニル基及びフェノキシ基が特に好ましい。これらの好ましい具体例としては、ヒドロキシ基、メチル基、エチル基、n-プロピル基、n-ブチル基、フェニル基、フェノキシ基等が挙げられ、ヒドロキシ基が好ましい。
【００９６】
一般式（１１）のより好ましい具体例としては、リン酸基（−PO4H2）が挙げられる。
【００９７】
一般式（１２）の好ましい具体例としては、下記一般式（１４）が挙げられる。
2017204322.tif 000031
（式中、Ｒ13及びｂは上記と同じ。）
【００９８】
一般式（１２）のより好ましい具体例としては、下記式（１５）が挙げられる。
2017204322.tif 000032
【００９９】
一般式（ＩＩＩ）のＲ11としては、ヒドロキシ基；炭素数１〜６のアルキル基；炭素数１〜６のアルコキシ基；ハロゲノ基、アルキル基、ハロゲノアルキル基、又はアルコキシ基を置換基として有していてもよいフェニル基；ハロゲノ基、アルキル基、ハロゲノアルキル基、又はアルコキシ基を置換基として有していてもよいフェノキシ基；上記一般式（１３）で示される基；及び、２個のＲ11が上記一般式（１４）を形成しているのが好ましく、ヒドロキシ基；炭素数１〜６のアルキル基；炭素数１〜６のアルコキシ基；アルキル基又はアルコキシ基を置換基として有していてもよいフェニル基；アルキル基又はアルコキシ基を置換基として有していてもよいフェノキシ基；上記一般式（１３）で示される基；及び、２個のＲ11が上記一般式（１４）を形成しているのがより好ましく、ヒドロキシ基；炭素数１〜６のアルキル基；炭素数１〜６のアルコキシ基；アルコキシ基を置換基として有していてもよいフェニル基；フェノキシ基；リン酸基；及び、２個のＲ11が上記式（１５）を形成しているのがさらに好ましく、ヒドロキシ基；炭素数１〜４のアルキル基；アルコキシ基を置換基として有していてもよいフェニル基；フェノキシ基；及び、リン酸基が特に好ましい。
【０１００】
これらの具体例としては、ヒドロキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、リン酸基、２個のＲ11で形成された上記式（１５）等が挙げられ、ヒドロキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基、リン酸基、２個のＲ11で形成された上記式（１５）が好ましく、ヒドロキシ基、メチル基、エチル基、フェニル基、メトキシフェニル基、エトキシフェニル基、フェノキシ基、リン酸基がより好ましく、ヒドロキシ基、メチル基、フェニル基、メトキシフェニル基、フェノキシ基、リン酸基が特に好ましい。
【０１０１】
一般式（ＩＩＩ）の２個のＲ11の組み合わせとしては、下記表３に記載の組み合わせ１〜１９が好ましく、組み合わせ１〜４，６，７，１０〜１３，１５，１６，１９がより好ましく、組み合わせ１，２，４，６，７，１０，１１，１３，１５，１６がさらに好ましく、組み合わせ１，２，４，７，１０，１３，１５，１６が特に好ましい。
【０１０２】
【表３】
2017204322.tif 000033
【０１０３】
一般式（ＩＩＩ）で示される化合物の好ましい具体例としては、例えば下記化合物が挙げられる。
2017204322.tif 000034
【０１０４】
2017204322.tif 000035
【０１０５】
上記の好ましい具体例の中でも、下記のものがより好ましい。
2017204322.tif 000036
【０１０６】
上記の好ましい具体例の中でも、下記のものが特に好ましい。
2017204322.tif 000037
【０１０７】
一般式（ＩＶ）のＲ11としては、ヒドロキシ基；炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基が好ましく、ヒドロキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基がより好ましく、ヒドロキシ基；炭素数１〜６のアルキル基；炭素数１〜６のアルコキシ基；アルコキシ基を置換基として有していてもよいフェニル基；及び、フェノキシ基がさらに好ましく、ヒドロキシ基；炭素数１〜４のアルキル基；アルコキシ基を置換基として有していてもよいフェニル基；及び、フェノキシ基が特に好ましい。
【０１０８】
これらの具体例としては、ヒドロキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基等が挙げられ、ヒドロキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基が好ましく、ヒドロキシ基、メチル基、エチル基、フェニル基、メトキシフェニル基、エトキシフェニル基、フェノキシ基がより好ましく、ヒドロキシ基、メチル基、フェニル基、メトキシフェニル基、フェノキシ基が特に好ましい。
【０１０９】
一般式（ＩＶ）の２個のＲ11の組み合わせとしては、下記表４に記載の組み合わせ１〜１７が好ましく、組み合わせ１〜４，６，７，１０〜１２，１４，１５がより好ましく、組み合わせ１，２，４，６，７，１０，１２，１４，１５がさらに好ましく、組み合わせ１，２，４，７，１０，１２，１５がさらにより好ましく、組み合わせ１，４，１２，１５が特に好ましい。
【０１１０】
【表４】
2017204322.tif 000038
【０１１１】
一般式（ＩＶ）で示される化合物の好ましい具体例としては、例えば下記化合物が挙げられる。
2017204322.tif 000039
【０１１２】
2017204322.tif 000040
【０１１３】
上記の好ましい具体例の中でも、下記のものがより好ましい。
2017204322.tif 000041
【０１１４】
上記の好ましい具体例の中でも、下記のものが特に好ましい。
2017204322.tif 000042
【０１１５】
上記式（ＩＩ）、一般式（ＩＩＩ）又は一般式（ＩＶ）で示される化合物は、いずれも市販のもの、あるいは自体公知の方法によって適宜合成したものを用いればよい。
【０１１６】
上記グリニャール試薬としては、例えばＲＭｇＸ１で示される化合物（Ｒは、炭素数１〜６のアルキル基又はフェニル基を表し、Ｘ１は上記と同じ。）が挙げられる。
【０１１７】
Ｒにおける炭素数１〜６のアルキル基としては、一般式（Ｉ）のＲ１における炭素数１〜６のアルキル基と同じものが挙げられ、好ましいものも同じである。
【０１１８】
上記グリニャール試薬の具体例としては、例えば、メチルマグネシウムクロリド、メチルマグネシウムブロミド、エチルマグネシウムクロリド、エチルマグネシウムブロミド、n-プロピルマグネシウムクロリド、n-プロピルマグネシウムブロミド、イソプロピルマグネシウムクロリド、n-ブチルマグネシウムクロリド、n-ブチルマグネシウムブロミド、sec-ブチルマグネシウムクロリド、tert-ブチルマグネシウムクロリド、フェニルマグネシウムクロリド、フェニルマグネシウムブロミド等が挙げられる。これらの中でも、メチルマグネシウムクロリド、エチルマグネシウムクロリド、n-プロピルマグネシウムクロリド、イソプロピルマグネシウムクロリド、n-ブチルマグネシウムクロリド、sec-ブチルマグネシウムクロリド、tert-ブチルマグネシウムクロリド、フェニルマグネシウムクロリドが好ましく、メチルマグネシウムクロリド、エチルマグネシウムクロリド、n-プロピルマグネシウムクロリド、n-ブチルマグネシウムクロリド、フェニルマグネシウムクロリドがより好ましい。
【０１１９】
上記グリニャール試薬の使用量は、式（ＩＩ）、一般式（ＩＩＩ）又は一般式（ＩＶ）で示される化合物のmol数に対して、通常0.1〜27当量、好ましくは0.5〜13.5当量である。
【０１２０】
より詳細には、式（ＩＩ）、一般式（ＩＩＩ）又は一般式（ＩＶ）で示される化合物が分子中に有するヒドロキシ基の数の増加に合わせて、上記グリニャール試薬の使用量も増加する。
式（ＩＩ）で示される化合物を用いる場合、上記グリニャール試薬の使用量は、当該化合物のmol数に対して通常0.1〜3当量、好ましくは0.5〜1.5当量である。
一般式（ＩＩＩ）で示される化合物を用いる場合、当該化合物が分子中に有するヒドロキシ基１つあたり、当該化合物のmol数に対して通常0.1〜3当量、好ましくは0.5〜1.5当量、上記グリニャール試薬の使用量が増加する。例えば、分子中に有するヒドロキシ基が２つであるとき、当該化合物のmol数に対して通常0.2〜6当量、好ましくは1〜3当量であり、分子中に有するヒドロキシ基が３つであるとき、当該化合物のmol数に対して通常0.3〜9当量、好ましくは1.5〜4.5当量である。
一般式（ＩＶ）で示される化合物を用いる場合、当該化合物が分子中にヒドロキシ基を有していないとき、上記グリニャール試薬の使用量は、当該化合物のmol数に対して通常0.1〜3当量、好ましくは0.5〜1.5当量である。また、当該化合物が分子中に有するヒドロキシ基１つあたり、当該化合物のmol数に対して通常0.1〜3当量、好ましくは0.5〜1.5当量、上記グリニャール試薬の使用量が増加する。例えば、当該化合物が分子中に有するヒドロキシ基が１つであるとき、当該化合物のmol数に対して通常0.2〜6当量、好ましくは1〜3当量であり、分子中に有するヒドロキシ基が２つであるとき、当該化合物のmol数に対して通常0.3〜9当量、好ましくは1.5〜4.5当量である。
【０１２１】
上記溶媒としては、式（ＩＩ）、一般式（ＩＩＩ）又は一般式（ＩＶ）で示される化合物、或いはグリニャール試薬の少なくとも一方が溶解するものであればよく、両者を溶解するものが好ましい。具体的には、ジエチルエーテル、テトラヒドロフラン、2-メチルテトラヒドロフラン、ジイソプロピルエーテル、1,2-ジメトキシエタン、ジエチレングリコールジメチルエーテル（ジグライム）、トリエチレングリコールジメチルエーテル（トリグライム）、テトラエチレングリコールジメチルエーテル（テトラグライム）、シクロペンチルメチルエーテル、tert-ブチルメチルエーテル、1,4-ジオキサン等のエーテル系溶媒；ヘキサン、ヘプタン、オクタン、ベンゼン、トルエン、キシレン等の炭化水素系溶媒等が挙げられ、エーテル系溶媒が好ましい。中でも、テトラヒドロフラン、1,2-ジメトキシエタン、ジグライム、トリグライム、テトラグライムがより好ましく、テトラヒドロフランが特に好ましい。
【０１２２】
上記溶媒の使用量は、式（ＩＩ）、一般式（ＩＩＩ）又は一般式（ＩＶ）で示される化合物1mmolに対して、通常0.1〜200ml、好ましくは0.5〜100mlである。
【０１２３】
式（ＩＩ）、一般式（ＩＩＩ）又は一般式（ＩＶ）で示される化合物とグリニャール試薬との反応温度は、通常-78〜80℃であり、その反応時間は、通常５秒〜５時間である。また、該反応は、アルゴン、窒素等の不活性ガス雰囲気下で行うのが好ましく、アルゴンガス雰囲気下で行うのがより好ましい。尚、得られた反応物は、濃縮乾燥後、必要に応じてヘキサン、ヘプタン、ジイソプロピルエーテル等の溶媒で洗浄しても構わない。
【０１２４】
本発明に係る一般式（Ｉ）で示される化合物は、具体的には例えば以下の如く製造される。即ち、アルゴンガス雰囲気下、上記式（ＩＩ）、一般式（ＩＩＩ）又は一般式（ＩＶ）で示される化合物をテトラヒドロフラン等の溶媒に溶解させる。次に、式（ＩＩ）、一般式（ＩＩＩ）又は一般式（ＩＶ）で示される化合物のmol数に対して、0.1〜27当量のフェニルマグネシウムクロリド等のグリニャール試薬を溶解したテトラヒドロフラン溶液等を滴下して、必要に応じて-78〜80℃の範囲で加熱又は冷却を行いながら、５秒〜５時間反応させる。必要に応じて、反応溶液を濃縮乾燥等の固体を得る操作を行い、得られた固体をジイソプロピルエーテル等の溶媒で洗浄して乾燥することにより、一般式（Ｉ）で示される化合物を製造すればよい。
【０１２５】
［ルイス酸］
本発明に係るルイス酸は、ベリリウム（Be）、ホウ素（B）、アルミニウム（Al）、ケイ素（Si）、スズ（Sn）、チタン（Ti）、クロム（Cr）、鉄（Fe）、又はコバルト（Co）を元素として含むものである。具体的には、フッ化ベリリウム（II）、塩化ベリリウム（II）、臭化ベリリウム（II）等のベリリウム化合物；フッ化ホウ素（III）、塩化ホウ素（III）、臭化ホウ素（III）、トリフェノキシボラン、フェニルジクロロボラン、トリフェニルボラン等のホウ素化合物；塩化アルミニウム（III）、臭化アルミニウム（III）、ヨウ化アルミニウム（III）、ジメチルアルミニウムクロリド、ジエチルアルミニウムクロリド、メチルアルミニウムジクロリド、エチルアルミニウムジクロリド、トリメチルアルミニウム、トリエチルアルミニウム、トリフェニルアルミニウム等のアルミニウム化合物；トリメチルシリルトリフラート、トリメチルシリルヨード、tert-ブチルジメチルシリルトリフラート、トリイソプロピルシリルトリフラート等のシリル化合物；塩化スズ（IV）、臭化スズ（IV）、塩化スズ（II）、スズ（II）トリフラート等のスズ化合物；フッ化チタン（IV）、塩化チタン（IV）、臭化チタン（IV）、ヨウ化チタン（IV）等のチタン化合物；フッ化クロム（II）、フッ化クロム（III）、塩化クロム（II）、塩化クロム（III）、臭化クロム（II）、臭化クロム（III）、ヨウ化クロム（II）、ヨウ化クロム（III）等のクロム化合物；フッ化鉄（II）、塩化鉄（II）、塩化鉄（III）、臭化鉄（II）、ヨウ化鉄（II）等の鉄化合物；フッ化コバルト（II）、塩化コバルト（II）、臭化コバルト（II）、ヨウ化コバルト（II）等のコバルト化合物等が挙げられ、ホウ素化合物、アルミニウム化合物が好ましく、アルミニウム化合物がより好ましい。このような化合物の中でも、塩化ホウ素（III）、塩化アルミニウム（III）、メチルアルミニウムジクロリド、ジメチルアルミニウムクロリド、トリフェニルアルミニウムが好ましく、塩化アルミニウム（III）が特に好ましい。
【０１２６】
［一般式（Ａ）で示される化合物］
本発明に係る一般式（Ａ）で示される化合物は、下記一般式で表されるものである。
2017204322.tif 000043
（式中、４個のＲ10は、それぞれ独立して、炭素数１〜６のアルキル基、炭素数１〜６のパーフルオロアルキル基、フェニル基又はパーフルオロフェニル基を表す。）
【０１２７】
一般式（Ａ）のＲ10における炭素数１〜６のアルキル基としては、一般式（Ｉ）のＲ１における炭素数１〜６のアルキル基と同じものが挙げられ、好ましいものも同じである。
【０１２８】
一般式（Ａ）のＲ10における炭素数１〜６のパーフルオロアルキル基としては、直鎖状、分枝状及び環状のうちいずれであってもよく、直鎖状及び分枝状が好ましく、直鎖状がより好ましい。また、炭素数１〜６のパーフルオロアルキル基の中でも、炭素数１〜４のものが好ましく、炭素数１又は２のものがより好ましい。具体的には例えば、トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基、パーフルオロシクロブチル基、パーフルオロ-n-ペンチル基、パーフルオロイソペンチル基、パーフルオロ-sec-ペンチル基、パーフルオロ-tert-ペンチル基、パーフルオロネオペンチル基、パーフルオロ-2-メチルブチル基、パーフルオロ-1,2-ジメチルプロピル基、パーフルオロ-1-エチルプロピル基、パーフルオロシクロペンチル基、パーフルオロ-n-ヘキシル基、パーフルオロイソヘキシル基、パーフルオロ-sec-ヘキシル基、パーフルオロ-tert-ヘキシル基、パーフルオロ-2-メチルペンチル基、パーフルオロ-1,2-ジメチルブチル基、パーフルオロ-2,3-ジメチルブチル基、パーフルオロ-1-エチルブチル基、パーフルオロシクロヘキシル基等が挙げられ、トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基が好ましく、トリフルオロメチル基、ペンタフルオロエチル基、ヘプタフルオロ-n-プロピル基、パーフルオロ-n-ブチル基がより好ましく、トリフルオロメチル基、ペンタフルオロエチル基がさらに好ましく、トリフルオロメチル基が特に好ましい。
【０１２９】
一般式（Ａ）における４個のＲ10は、同一であっても異なっていてもよいが、４個全てが同一であるのが好ましい。
【０１３０】
一般式（Ａ）における４個のＲ10としては、炭素数１〜６のアルキル基、炭素数１〜６のパーフルオロアルキル基が好ましく、炭素数１〜６のパーフルオロアルキル基がより好ましい。これらの具体例としては、メチル基、エチル基、n-プロピル基、イソプロピル基、n-ブチル基、イソブチル基、sec-ブチル基、tert-ブチル基；トリフルオロメチル基、ペンタフルオロエチル基、ヘプタフルオロ-n-プロピル基、ヘプタフルオロイソプロピル基、パーフルオロ-n-ブチル基、パーフルオロイソブチル基、パーフルオロ-sec-ブチル基、パーフルオロ-tert-ブチル基；フェニル基；パーフルオロフェニル基等が挙げられ、メチル基、エチル基、n-プロピル基、n-ブチル基；トリフルオロメチル基、ペンタフルオロエチル基、ヘプタフルオロ-n-プロピル基、パーフルオロ-n-ブチル基が好ましく、トリフルオロメチル基、ペンタフルオロエチル基がより好ましく、トリフルオロメチル基が特に好ましい。
【０１３１】
一般式（Ａ）で示される化合物の具体例としては、例えば、マグネシウムビス(メタンスルホニル)イミド、マグネシウムビス(エタンスルホニル)イミド、マグネシウムビス(n-プロパンスルホニル)イミド、マグネシウムビス(イソプロパンスルホニル)イミド、マグネシウムビス(n-ブタンスルホニル)イミド、マグネシウムビス(イソブタンスルホニル)イミド、マグネシウムビス(sec-ブタンスルホニル)イミド、マグネシウムビス(tert-ブタンスルホニル)イミド、マグネシウムビス(シクロブタンスルホニル)イミド、マグネシウムビス(n-ペンタンスルホニル)イミド、マグネシウムビス(イソペンタンスルホニル)イミド、マグネシウムビス(sec-ペンタンスルホニル)イミド、マグネシウムビス(tert-ペンタンスルホニル)イミド、マグネシウムビス(ネオペンタンスルホニル)イミド、マグネシウムビス(2-メチルブタンスルホニル)イミド、マグネシウムビス(1,2-ジメチルプロパンスルホニル)イミド、マグネシウムビス(1-エチルプロパンスルホニル)イミド、マグネシウムビス(シクロペンタンスルホニル)イミド、マグネシウムビス(n-ヘキサンスルホニル)イミド、マグネシウムビス(イソヘキサンスルホニル)イミド、マグネシウムビス(sec-ヘキサンスルホニル)イミド、マグネシウムビス(tert-ヘキサンスルホニル)イミド、マグネシウムビス(ネオヘキサンスルホニル)イミド、マグネシウムビス(2-メチルペンタンスルホニル)イミド、マグネシウムビス(1,2-ジメチルブタンスルホニル)イミド、マグネシウムビス(2,3-ジメチルブタンスルホニル)イミド、マグネシウムビス(1-エチルブタンスルホニル)イミド、マグネシウムビス(シクロヘキサンスルホニル)イミド等の炭素数２〜１２のマグネシウムビス(アルカンスルホニル)イミド；マグネシウムビス(トリフルオロメタンスルホニル)イミド、マグネシウムビス(ペンタフルオロエタンスルホニル)イミド、マグネシウムビス(ヘプタフルオロ-n-プロパンスルホニル)イミド、マグネシウムビス(ヘプタフルオロイソプロパンスルホニル)イミド、マグネシウムビス(パーフルオロ-n-ブタンスルホニル)イミド、マグネシウムビス(パーフルオロイソブタンスルホニル)イミド、マグネシウムビス(パーフルオロ-sec-ブタンスルホニル)イミド、マグネシウムビス(パーフルオロ-tert-ブタンスルホニル)イミド、マグネシウムビス(パーフルオロシクロブタンスルホニル)イミド、マグネシウムビス(パーフルオロ-n-ペンタンスルホニル)イミド、マグネシウムビス(パーフルオロイソペンタンスルホニル)イミド、マグネシウムビス(パーフルオロ-sec-ペンタンスルホニル)イミド、マグネシウムビス(パーフルオロ-tert-ペンタンスルホニル)イミド、マグネシウムビス(パーフルオロネオペンタンスルホニル)イミド、マグネシウムビス(パーフルオロ-2-メチルブタンスルホニル)イミド、マグネシウムビス(パーフルオロ-1,2-ジメチルプロパンスルホニル)イミド、マグネシウムビス(パーフルオロ-1-エチルプロパンスルホニル)イミド、マグネシウムビス(パーフルオロシクロペンタンスルホニル)イミド、マグネシウムビス(パーフルオロ-n-ヘキサンスルホニル)イミド、マグネシウムビス(パーフルオロイソヘキサンスルホニル)イミド、マグネシウムビス(パーフルオロ-sec-ヘキサンスルホニル)イミド、マグネシウムビス(パーフルオロ-tert-ヘキサンスルホニル)イミド、マグネシウムビス(パーフルオロネオヘキサンスルホニル)イミド、マグネシウムビス(パーフルオロ-2-メチルペンタンスルホニル)イミド、マグネシウムビス(パーフルオロ-1,2-ジメチルブタンスルホニル)イミド、マグネシウムビス(パーフルオロ-2,3-ジメチルブタンスルホニル)イミド、マグネシウムビス(パーフルオロ-1-エチルブタンスルホニル)イミド、マグネシウムビス(パーフルオロシクロヘキサンスルホニル)イミド等の炭素数２〜１２のマグネシウムビス(パーフルオロアルカンスルホニル)イミド；マグネシウムビス(フェニルスルホニル)イミド；マグネシウムビス(パーフルオロフェニルスルホニル)イミド等が挙げられる。
【０１３２】
上記具体例の中でも、炭素数２〜１２のマグネシウムビス(アルカンスルホニル)イミド、炭素数２〜１２のマグネシウムビス(パーフルオロアルカンスルホニル)イミドが好ましく、マグネシウムビス(メタンスルホニル)イミド、マグネシウムビス(エタンスルホニル)イミド、マグネシウムビス(n-プロパンスルホニル)イミド、マグネシウムビス(n-ブタンスルホニル)イミド；マグネシウムビス(トリフルオロメタンスルホニル)イミド、マグネシウムビス(ペンタフルオロエタンスルホニル)イミド、マグネシウムビス(ヘプタフルオロ-n-プロパンスルホニル)イミド、マグネシウムビス(パーフルオロ-n-ブタンスルホニル)イミドがより好ましく、マグネシウムビス(トリフルオロメタンスルホニル)イミド、マグネシウムビス(ペンタフルオロエタンスルホニル)イミドがさらに好ましく、マグネシウムビス(トリフルオロメタンスルホニル)イミドが特に好ましい。
【０１３３】
［溶媒］
本発明に係る溶媒としては、本発明に係る一般式（Ｉ）で示される化合物及び／又は本発明に係るルイス酸若しくは本発明に係る一般式（Ａ）を溶解し得るものが好ましい。このような溶媒としては例えばエーテル系溶媒、ハロゲン化炭化水素系溶媒、カーボネート系溶媒、ニトリル系溶媒、スルホン系溶媒等が挙げられ、これらの溶媒を２種以上混合したものであってもよい。
【０１３４】
上記エーテル系溶媒としては例えば、ジエチルエーテル、テトラヒドロフラン、2-メチルテトラヒドロフラン、ジイソプロピルエーテル、1,2-ジメトキシエタン、ジエチレングリコールジメチルエーテル（ジグライム）、トリエチレングリコールジメチルエーテル（トリグライム）、テトラエチレングリコールジメチルエーテル（テトラグライム）、シクロペンチルメチルエーテル、tert-ブチルメチルエーテル、1,4-ジオキサン等が挙げられ；上記ハロゲン化炭化水素系溶媒としては例えば、ジクロロメタン、クロロホルム、四塩化炭素、1,2-ジクロロエタン等が挙げられ；上記カーボネート系溶媒としては例えば、炭酸ジメチル、炭酸ジエチル、炭酸エチルメチル、炭酸プロピレン等が挙げられ；上記ニトリル系溶媒としては例えば、アセトニトリル、プロピオニトリル、ブチロニトリル、スクシノニトリル、ピメロニトリル、メトキシプロピオニトリル等が挙げられ；上記スルホン系溶媒としては例えば、スルホラン、ジメチルスルホン、エチルメチルスルホン、メチル-n-プロピルスルホン、メチルイソプロピルスルホン、n-ブチル-メチルスルホン、イソブチルメチルスルホン、sec-ブチルメチルスルホン、tert-ブチルメチルスルホン、ジエチルスルホン、エチル-n-プロピルスルホン、エチルイソプロピルスルホン、n-ブチルエチルスルホン、イソブチルエチルスルホン、sec-ブチルエチルスルホン、tert-ブチルエチルスルホン、ジ-n-プロピルスルホン、ジイソプロピルスルホン、n-ブチル-n-プロピルスルホン、ジ-n-ブチルスルホン等が挙げられる。
【０１３５】
上記具体例の中でも、エーテル系溶媒、スルホン系溶媒が好ましく、エーテル系溶媒がより好ましい。これらの溶媒の中でも、テトラヒドロフラン、1,2-ジメトキシエタン、ジグライム、トリグライム、テトラグライム、スルホランが好ましく、テトラヒドロフラン、ジグライム、トリグライム、テトラグライムがより好ましく、テトラヒドロフラン、トリグライムが特に好ましい。
【０１３６】
［本発明の電解液］
本発明の電解液は、本発明に係る一般式（Ｉ）で示される化合物と、本発明に係るルイス酸又は本発明に係る一般式（Ａ）で示される化合物とを、本発明に係る溶媒に混合してなるものである。その中でも、本発明に係る一般式（Ｉ）で示される化合物と、本発明に係るルイス酸とを、本発明に係る溶媒に混合してなるものが好ましい。
【０１３７】
本発明の電解液中の一般式（Ｉ）で示される化合物の濃度は、通常0.01〜5M(mol/L)、好ましくは0.05〜3M(mol/L)、より好ましくは0.1〜1M(mol/L)である。
【０１３８】
本発明の電解液で用いられるルイス酸又は一般式（Ａ）で示される化合物の使用量は、一般式（Ｉ）で示される化合物のmol数に対して、通常0.5〜36当量、好ましくは1〜18当量である。
より詳細には、本発明の電解液で用いられるルイス酸又は一般式（Ａ）で示される化合物の使用量は、一般式（Ｉ）で示される化合物が分子中に有するマグネシウムクロリドオキシ基及びマグネシウムブロミドオキシ基の総数に比例する。即ち、ルイス酸又は一般式（Ａ）で示される化合物の使用量は、一般式（Ｉ）で示される化合物が分子中に有するマグネシウムクロリドオキシ基又はマグネシウムブロミドオキシ基１つあたり、一般式（Ｉ）で示される化合物のmol数に対して通常0.5〜4当量であり、好ましくは1〜2当量である。例えば、ルイス酸又は一般式（Ａ）で示される化合物の使用量は、一般式（Ｉ）で示される化合物が分子中に有するマグネシウムクロリドオキシ基及びマグネシウムブロミドオキシ基の総数が２つであるとき、一般式（Ｉ）で示される化合物のmol数に対して通常1〜8当量、好ましくは2〜4当量であり、分子中に有するマグネシウムクロリドオキシ基及びマグネシウムブロミドオキシ基の総数が３つであるとき、一般式（Ｉ）で示される化合物のmol数に対して通常1.5〜12当量、好ましくは3〜6当量である。
【０１３９】
本発明の電解液は、上記の他に、通常この分野で用いられる被膜形成剤、過充電防止剤、脱酸素剤、脱水剤、難燃剤等の添加剤及びクラウンエーテル等の配位性の添加剤を含んでいてもよい。
【０１４０】
本発明の電解液は、マグネシウム電池に用いることができ、マグネシウム二次電池の場合、高い酸化安定性を示し、安定的に繰り返し用いることができる。
【０１４１】
本発明の電解液は、本発明に係る一般式（Ｉ）で示される化合物と、本発明に係るルイス酸又は本発明に係る一般式（Ａ）で示される化合物とを、本発明に係る溶媒に溶解（混合）することにより製造される。より具体的には、本発明に係る一般式（Ｉ）で示される化合物1molに対して、本発明に係るルイス酸又は本発明に係る一般式（Ａ）で示される化合物を0.5〜36mol用い、これらを上記濃度となるように本発明に係る溶媒に添加して混合することにより製造される。尚、混合時に必要に応じて-78〜300℃の範囲で加熱又は冷却してもよく、0〜150℃の範囲で加熱又は冷却するのが好ましい。また、混合後に必要に応じてろ過を行ってもよい。
【０１４２】
本発明の電解液は、本発明に係る一般式（Ｉ）で示される化合物、本発明に係るルイス酸又は本発明に係る一般式（Ａ）で示される化合物、及び本発明に係る溶媒を含んでいればよく、例えば、一般式（Ｉ）で示される化合物と溶媒とで形成された配位体も本発明に含まれる。即ち、本発明の電解液には、一般式（Ｉ）で示される化合物とルイス酸又は一般式（Ａ）で示される化合物と溶媒とを混合してなるものだけでなく、一般式（Ｉ）で示される化合物と溶媒とで形成された配位体と、ルイス酸又は一般式（Ａ）で示される化合物、及び要すれば溶媒とを混合してなるものも包含される。
【０１４３】
一般式（Ｉ）で示される化合物が配位体を形成している場合、配位体を構成している一般式（Ｉ）で示される化合物の量（mol数）に対して、本発明に係るルイス酸又は本発明に係る一般式（Ａ）で示される化合物、及び本発明に係る溶媒の使用量を適宜調整すればよい。
【０１４４】
［電気化学デバイス］
本発明の電気化学デバイスは、正極と負極と本発明の電解液とを有するものである。電気化学デバイスの具体例としては、例えば、一次電池、二次電池、空気電池、電気二重層キャパシタ等が挙げられ、中でも二次電池が好ましい。尚、本発明においては、負極においてマグネシウムの反応を伴う限り、本発明の電解液（マグネシウム電池用電解液）における「マグネシウム電池」に含まれる。本発明でいうマグネシウムの反応とは、具体的には例えば、マグネシウム金属と電解液との界面におけるマグネシウムの溶解・析出、炭素系材料でのマグネシウムイオンのインターカレート反応、ビスマス等の元素とマグネシウムが合金化する反応、酸化チタン等の電池材料にマグネシウムイオンが例えば１Ｖ以下等の低い電位で吸蔵・放出される反応等を意味する。
【０１４５】
本発明の電気化学デバイスにおける正極は、マグネシウム又はマグネシウムイオンをその内部、又は表面及びその近傍に含有するものであれば特に限定されない。また、負極において上述したようなマグネシウムの反応を伴う限り、マグネシウム以外の金属イオンを添加することにより、正極にマグネシウム以外の金属イオンをその内部、又は表面及びその近傍に含有するものであってもよい。
【０１４６】
本発明の電気化学デバイスにおける正極の具体例としては、例えば、コバルト、マンガン、バナジウム、アルミニウム、鉄、ケイ素、リン、ニッケル、モリブデン、チタン、タングステン、ルテニウム、銅、クロム、リチウム、ナトリウム、カリウム、ルビジウム、セシウム、ベリリウム、カルシウム、ストロンチウム、バリウム、ニオブ、ランタノイド元素、炭素、硫黄、マグネシウム、白金、ハフニウム、スカンジウム、ジルコニウム、オスミウム、イリジウム、金、水銀、タリウム、鉛、スズ、アンチモン；これらの酸化物、硫化物、セレン化物、テルル化物、シアン化物、ハロゲン化物、ホウ素化物、ケイ酸化物、リン酸化物、ホウ酸化物、マンガン酸化物；或いは、これらの複塩を活物質として含む電極等が挙げられる。これらの中でも、モリブデン；モリブデンの酸化物、硫化物、セレン化物、テルル化物、シアン化物、ハロゲン化物、ホウ素化物、ケイ酸化物、リン酸化物、ホウ酸化物、マンガン酸化物；或いは、これらの複塩を活物質として含む電極が好ましい。
尚、上記活物質は、複数の金属、複数の化合物を併せた構成であってもよく、マグネシウム、カリウム等の金属や、硫黄、ホウ素、リン等がドープされていてもよく、水和物であってもよい。
【０１４７】
上記活物質は、正方晶、斜方晶、六方晶等のいずれの結晶系であってもよく；その結晶構造は、層状構造、ルチル型構造、スピネル型構造、オリビン型構造、シェブレル型構造、アモルファス構造、又は上記以外の結晶構造を成していてもよい。さらに、物理的又は化学的処理やマグネシウムイオンの挿入脱離によりその結晶構造が変化してもよく、それが全体でなく一部であってもよい。また、結晶構造を変化させてＸ線結晶構造解析でピークの位置が変化した構造でもよく、XPSで変化が確認されるような処理が行われていてもよい。
【０１４８】
上記活物質のうち、無機系の活物質の具体例としては、例えば、Mo6S8、V2O5、MnO2、Mn2O3、Mn3O4、RuO2、TiO2、Co3O4、MoO3、Co3O4、CoO、CoO2、WO3、PbO2、Pb3O4、NiFe(CN)6、CuFe(CN)6、Ni[Fe(CN)6]0.7・4.7H2O、Cu[Fe(CN)6]0.7・3.6H2O、MgMo6S8、MgVPO4F、MgFePO4F、MgMnPO4F、MgFePO4、Mg0.1V2O5、MgNiO2、MgCoO2、MgCo2O4、TiNb2O7、Mg0.5Hf0.5Sc1.0(MoO4)3、MgZrWO4、MgFe2O4、MgMn2O4、MgNi2O4、MgCr2O4、MgCoSiO4、MgFeSiO4、MgNiSiO4、MgMnSiO4、MgNi0.9Mn0.1SiO4、MgVSiO4、MgCuSiO4、Mg1.03Mn0.97SiO4、MgMnNiO4、MgMn1.15Ni0.6Ti0.25O4、Mg0.75Fe0.25Ca(SiO3)2、Mg0.59Co0.41CaSiO、Mg0.71Fe1.29(SiO3)2、Mg1.88Fe0.12(SiO3)2、MgAg0.5Fe0.95Nb0.05O4、Mg2SiO4、KMnO4、Mg(MnO4)2、NiCl2、CoCl2、FeCl2、CrCl2、FeF3、MnF3、LaF3、NiS、FeS、CuS、CoS、ZrS2、WS2、CoS2、MoS2、MnS2、NbS2、NbS3、TiS2、TiB2、ZrB2、MoB2、VS2、WSe2、Cu2Se、Mo9Se11、NiSSe、VBO3、TiBO3、MnBO3、CoBO3、V0.5Fe0.5BO3、V0.5Ti0.5BO3、V0.5Ti0.3Fe0.2BO3、V2O5・MgCl2・P2O5から構成される活物質；Fe2+、Cu2+、Ti2+、Cd2+等の金属カチオンとポリサルファイドとの塩；ボロン（B）をドープしたMg2SiO4；TiNb2O7とグラフェンの複合体；KMnO4と塩酸から合成されるアモルファス構造の活物質；MoS2やV2O5の炭素複合体；エアロゲル状V2O5；ナノワイヤ状Mn3O4；結晶水を含んだMnO2；多孔質のMn3O4ナノ粒子；ナノチューブ状のTiS2；カリウムをドープしたK-αMnO2；プルシアンブルー類似体等が挙げられる。
【０１４９】
また、本発明の電気化学デバイスにおける正極には、マグネシウム又はマグネシウムイオンを吸着貯蔵可能な活物質として、例えば、硫黄；有機硫黄化合物；ラジカル化合物；有機化合物；高分子化合物；含硫黄高分子化合物；ラジカル高分子；機能性化合物；層状炭素、多孔質炭素、活性炭等の電気二重層を形成する材料等が含まれていてもよい。このような材料は、マグネシウムが酸化された形態で含まれていてもよく、硫黄、リン、ホウ素などを混合した形態であってもよい。更には、一部がハロゲン化されたような形態であってもよい。
【０１５０】
上記活物質のうち、有機系の活物質の具体例としては、例えば、ルベアン酸、2,5-dimercapto-1,3,4-thiadiazole（DMcT）、トリオキソトリアンギュレン、2,2,6,6-テトラメチル-1-ピペリジニルオキシ（TEMPO）、4-ヒドロキシ-2,2,6,6-テトラメチルピペリジニルオキシ（4-ヒドロキシ-TEMPO）、ジメトキシベンゾキノン（DMBQ）、9,10-アントラキノン、ポルフィリン、マグネシウムポルフィリン、フタロシアニン、フタロシアニンマグネシウム、マグネシウムアントラセン、ポリアニリン、ポリキノン誘導体、キノン系高分子、Poly(hydroquinoyl-benzoquinonyl sulfide)、Carbyne polysulfide、poly-2,2'-dithiodianiline（PDTDA）、ポリ(4-メタクリロイルオキシ-2,2,6,6-テトラメチルピペリジン-N-オキシル)（PTMA）、Poly(anthraquinonyl)sulfide、フラーレン、S-BUMB18C6、S-UOEE、フッ化黒鉛、銅を混合したフッ化黒鉛、フッ化グラフェン等が挙げられる。
【０１５１】
上述した有機系及び無機系の活物質の粒子サイズ、表面積等は、通常この分野で用いられる範囲であればよく、特に限定されない。
【０１５２】
本発明の電気化学デバイスにおける負極は、マグネシウム又はマグネシウムイオンをその内部、又は表面及びその近傍に含有するものであれば特に限定されない。本発明の電気化学デバイスにおける負極の具体例としては、例えば、マグネシウムの溶解・析出が可能な金属マグネシウム、マグネシウム合金や、マグネシウムと合金化され得る金属、マグネシウム又はマグネシウムイオンのインターカレーションが可能な炭素系材料、マグネシウムイオンを例えば１Ｖ以下等の低い電位で吸蔵・放出可能な物質等が挙げられる。
【０１５３】
また、本発明の電気化学デバイスは、正極、負極及び本発明の電解液以外に、更にセパレータを有していてもよい。該セパレータとしては、正極と負極とを電気的に絶縁し、且つマグネシウムイオンが透過可能なものであればよく、例えば多孔性ポリオレフィン等の微多孔性高分子が挙げられる。多孔性ポリオレフィンの具体例としては、例えば、多孔性ポリエチレン単独、多孔性ポリエチレンと多孔性ポリプロピレンとを重ね合わせて複層としたもの等が挙げられる。
【０１５４】
［一般式（Ｉ’）で示される化合物］
本発明に係る一般式（Ｉ’）で示される化合物は下記のように示される。
2017204322.tif 000044
｛式中、ｍは０又は２を表し、ｍ＝０の場合、ｎは２を表し、ｍ＝２の場合、ｎは０又は１を表し、Ｘ１は塩素原子又は臭素原子を表し、２個のＲ１は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；ハロゲノ基、アルキル基、ハロゲノアルキル基、若しくはアルコキシ基を置換基として有していてもよい炭素数６〜１０のアリールオキシ基；又は、下記一般式（１）：
2017204322.tif 000045
（式中、ａは１〜３の整数を表し、Ｘ２は塩素原子又は臭素原子を表し、ａ個のＲ２は、それぞれ独立して、マグネシウムクロリドオキシ基（−OMgCl）；マグネシウムブロミドオキシ基（−OMgBr）；ハロゲノ基若しくはアルコキシ基を置換基として有していてもよい炭素数１〜６のアルキル基；炭素数１〜６のアルコキシ基；ハロゲノ基、アルキル基、ハロゲノアルキル基、若しくはアルコキシ基を置換基として有していてもよい炭素数６〜１０のアリール基；又は、ハロゲノ基、アルキル基、ハロゲノアルキル基、若しくはアルコキシ基を置換基として有していてもよい炭素数６〜１０のアリールオキシ基を表す。）
で示される基を表し；２個のＲ１が下記一般式（２）：
2017204322.tif 000046
（式中、ｂは１〜３の整数を表し、Ｒ２は上記と同じ。）
を形成していてもよい。ただし、（ｉ）ｍ＝２であり、ｎ＝０であり、且つ、２個のＲ１が同一の無置換の炭素数６〜１０のアリール基である場合、及び（ｉｉ）ｍ＝２であり、ｎ＝１であり、且つ、２個のＲ１が同一の炭素数１〜６のアルコキシ基である場合を除く。｝
【０１５５】
一般式（Ｉ’）におけるＸ１、Ｒ１、ｍ及びｎは、一般式（Ｉ）におけるＸ１、Ｒ１、ｍ及びｎと同一であり、その具体例及び好ましいものも、一般式（Ｉ）におけるＸ１、Ｒ１、ｍ及びｎの具体例及び好ましいものと同じものが挙げられる。
【０１５６】
一般式（Ｉ’）において、（ｉ）ｍ＝２であり、ｎ＝０であり、且つ、２個のＲ１が同一の無置換の炭素数６〜１０のアリール基である場合、及び（ｉｉ）ｍ＝２であり、ｎ＝１であり、且つ、２個のＲ１が同一の炭素数１〜６のアルコキシ基である場合、即ち、下記一般式（Ｉ’−ｉ）及び（Ｉ’−ｉｉ）で示される化合物は、本発明の一般式（Ｉ’）で示される化合物から除かれる。
2017204322.tif 000047
（式中、２個のＲ８は、同一の無置換の炭素数６〜１０のアリール基を表し、２個のＲ９は、同一の炭素数１〜６のアルコキシ基を表し、Ｘ１は上記と同じ。）
【０１５７】
Ｒ８における無置換の炭素数６〜１０のアリール基としては、フェニル基、ナフチル基等が挙げられる。
【０１５８】
Ｒ９における炭素数１〜６のアルコキシ基としては、一般式（Ｉ）におけるＲ１と同じものが挙げられる。
【０１５９】
一般式（Ｉ）の好ましい具体例としては、下記一般式（Ｉ’−Ｉ）又は（Ｉ’−ＩＩ）が挙げられる。
2017204322.tif 000048
（式中、Ｒ14は、マグネシウムクロリドオキシ基；炭素数１〜６のアルキル基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表し、Ｒ15は、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；ハロゲノ基、アルキル基、ハロゲノアルキル基、若しくはアルコキシ基を置換基として有していてもよいフェノキシ基；又は、上記一般式（３）で示される基を表し、Ｒ14とＲ15とで上記一般式（４）を形成していてもよい。）
【０１６０】
2017204322.tif 000049
（式中、Ｒ16は、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有するフェニル基；又は、ハロゲノ基、アルキル基、ハロゲノアルキル基、若しくはアルコキシ基を置換基として有していてもよいフェノキシ基を表し、Ｒ17は、マグネシウムクロリドオキシ基；炭素数１〜６のアルキル基；炭素数１〜６のアルコキシ基；ハロゲノ基、アルキル基、ハロゲノアルキル基、若しくはアルコキシ基を置換基として有していてもよいフェニル基；又は、ハロゲノ基、アルキル基、ハロゲノアルキル基、若しくはアルコキシ基を置換基として有していてもよいフェノキシ基を表す。）
【０１６１】
Ｒ14〜Ｒ17における炭素数１〜６のアルキル基；炭素数１〜６のアルコキシ基；ハロゲノ基、アルキル基、ハロゲノアルキル基、又はアルコキシ基を置換基として有していてもよいフェニル基；及び、ハロゲノ基、アルキル基、ハロゲノアルキル基、又はアルコキシ基を置換基として有していてもよいフェノキシ基としては、一般式（３）におけるＲ３のそれらと同じものが挙げられ、好ましいものも同じである。
【０１６２】
Ｒ16におけるフェニル基の置換基としてのハロゲノ基、アルキル基、ハロゲノアルキル基及びアルコキシ基としては、一般式（Ｉ）のＲ１における炭素数６〜１０のアリール基の置換基としてのそれらと同じものが挙げられ、好ましいものも同じである。
【０１６３】
Ｒ16におけるハロゲノ基、アルキル基、ハロゲノアルキル基、又はアルコキシ基を置換基として有するフェニル基の置換基の数としては、通常１〜５個、好ましくは１〜２個、より好ましくは１個である。該フェニル基はオルト位、メタ位、パラ位のいずれの位置に置換基を有していてもよく、パラ位に置換基を有するものが好ましい。
【０１６４】
一般式（Ｉ’−ＩＩ）のＲ16におけるハロゲノ基、アルキル基、ハロゲノアルキル基、又はアルコキシ基を置換基として有するフェニル基としては、アルキル基又はアルコキシ基を置換基として有するフェニル基が好ましく、アルコキシ基を置換基として有するフェニル基がより好ましい。
【０１６５】
一般式（Ｉ’−ＩＩ）のＲ16におけるハロゲノ基、アルキル基、ハロゲノアルキル基、又はアルコキシ基を置換基として有するフェニル基の具体例としては、例えば、フルオロフェニル基、パーフルオロフェニル基；メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；トリフルオロメチルフェニル基、ペンタフルオロエチルフェニル基、ヘプタフルオロ-n-プロピルフェニル基、パーフルオロ-n-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基等が挙げられる。
【０１６６】
上記具体例の中でも、メチルフェニル基、エチルフェニル基、n-プロピルフェニル基、イソプロピルフェニル基、n-ブチルフェニル基、イソブチルフェニル基、sec-ブチルフェニル基、tert-ブチルフェニル基；メトキシフェニル基、エトキシフェニル基、n-プロポキシフェニル基、イソプロポキシフェニル基、n-ブトキシフェニル基、イソブトキシフェニル基、sec-ブトキシフェニル基、tert-ブトキシフェニル基が好ましく、メチルフェニル基、エチルフェニル基、n-プロピルフェニル基、n-ブチルフェニル基、メトキシフェニル基、エトキシフェニル基、n-プロポキシフェニル基、n-ブトキシフェニル基がより好ましい。
【０１６７】
一般式（Ｉ’−Ｉ）におけるＲ14としては、マグネシウムクロリドオキシ基；炭素数１〜６のアルキル基；アルキル基又はアルコキシ基を置換基として有していてもよいフェニル基；アルキル基又はアルコキシ基を置換基として有していてもよいフェノキシ基；及び、Ｒ14とＲ15とで上記一般式（４）を形成しているのが好ましく、マグネシウムクロリドオキシ基；炭素数１〜６のアルキル基；アルコキシ基を置換基として有していてもよいフェニル基；フェノキシ基；及び、Ｒ14とＲ15とで上記式（６）を形成しているのがより好ましく、マグネシウムクロリドオキシ基；炭素数１〜４のアルキル基；アルコキシ基を置換基として有していてもよいフェニル基；及び、フェノキシ基が特に好ましい。
【０１６８】
これらの具体例としては、マグネシウムクロリドオキシ基、メチル基、エチル基、n-プロピル基、n-ブチル基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、Ｒ14とＲ15とで形成された上記式（６）等が挙げられ、マグネシウムクロリドオキシ基、メチル基、エチル基、n-プロピル基、n-ブチル基、フェニル基、メトキシフェニル基、エトキシフェニル基、n-プロポキシフェニル基、n-ブトキシフェニル基、フェノキシ基、Ｒ14とＲ15とで形成された上記式（６）が好ましく、マグネシウムクロリドオキシ基、メチル基、エチル基、フェニル基、メトキシフェニル基、エトキシフェニル基、フェノキシ基がより好ましく、マグネシウムクロリドオキシ基、メチル基、フェニル基、メトキシフェニル基、フェノキシ基が特に好ましい。
【０１６９】
一般式（Ｉ’−Ｉ）におけるＲ15としては、マグネシウムクロリドオキシ基；炭素数１〜６のアルキル基；炭素数１〜６のアルコキシ基；アルキル基又はアルコキシ基を置換基として有していてもよいフェニル基；アルキル基又はアルコキシ基を置換基として有していてもよいフェノキシ基；上記一般式（３）で示される基；及び、Ｒ14とＲ15とで上記一般式（４）を形成しているのが好ましく、マグネシウムクロリドオキシ基；炭素数１〜６のアルキル基；炭素数１〜６のアルコキシ基；アルコキシ基を置換基として有していてもよいフェニル基；フェノキシ基；上記式（５）で示される基；及び、Ｒ14とＲ15とで上記式（６）を形成しているのがより好ましく、マグネシウムクロリドオキシ基；炭素数１〜４のアルキル基；アルコキシ基を置換基として有していてもよいフェニル基；フェノキシ基；及び、上記式（５）で示される基が特に好ましい。
【０１７０】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基、上記式（５）で示される基、Ｒ14とＲ15とで形成された上記式（６）等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基、上記式（５）で示される基、Ｒ14とＲ15とで形成された上記式（６）が好ましく、マグネシウムクロリドオキシ基、メチル基、エチル基、フェニル基、メトキシフェニル基、エトキシフェニル基、フェノキシ基、上記式（５）で示される基がより好ましく、マグネシウムクロリドオキシ基、メチル基、フェニル基、メトキシフェニル基、フェノキシ基、上記式（５）で示される基が特に好ましい。
【０１７１】
一般式（Ｉ’−Ｉ）におけるＲ14とＲ15との組み合わせとしては、下記表５に記載の組み合わせ１〜１８が好ましく、組み合わせ１〜４，６，７，１０〜１２，１４，１５，１８がより好ましく、組み合わせ１，２，４，６，７，１０〜１２，１４，１５がさらに好ましく、組み合わせ１，２，４，７，１０，１２，１４，１５が特に好ましい。
【０１７２】
【表５】
2017204322.tif 000050
【０１７３】
一般式（Ｉ’−Ｉ）で示される化合物の好ましい具体例としては、例えば下記のマグネシウムクロリド化合物が挙げられる。
2017204322.tif 000051
【０１７４】
上記の好ましい具体例の中でも、下記のものがより好ましい。
2017204322.tif 000052
【０１７５】
一般式（Ｉ’−ＩＩ）におけるＲ16としては、マグネシウムクロリドオキシ基；炭素数１〜６のアルキル基；炭素数１〜６のアルコキシ基；アルキル基又はアルコキシ基を置換基として有するフェニル基；及び、アルキル基又はアルコキシ基を置換基として有していてもよいフェノキシ基が好ましく、マグネシウムクロリドオキシ基；炭素数１〜６のアルキル基；炭素数１〜６のアルコキシ基；アルコキシ基を置換基として有するフェニル基；及び、フェノキシ基がより好ましく、マグネシウムクロリドオキシ基；炭素数１〜４のアルキル基；アルコキシ基を置換基として有するフェニル基；及び、フェノキシ基が特に好ましい。
【０１７６】
これらの具体例としては、マグネシウムクロリドオキシ基、メチル基、エチル基、n-プロピル基、n-ブチル基、メトキシ基、エトキシ基、n-プロポキシ基、n-ブトキシ基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基等が挙げられ、マグネシウムクロリドオキシ基、メチル基、エチル基、n-プロピル基、n-ブチル基、メトキシ基、エトキシ基、メトキシフェニル基、エトキシフェニル基、n-プロポキシフェニル基、n-ブトキシフェニル基、フェノキシ基が好ましく、マグネシウムクロリドオキシ基、メチル基、エチル基、メトキシフェニル基、エトキシフェニル基、フェノキシ基がより好ましく、マグネシウムクロリドオキシ基、フェノキシ基が特に好ましい。
【０１７７】
一般式（Ｉ’−ＩＩ）におけるＲ17としては、マグネシウムクロリドオキシ基；炭素数１〜６のアルキル基；炭素数１〜６のアルコキシ基；アルキル基又はアルコキシ基を置換基として有していてもよいフェニル基；及び、アルキル基又はアルコキシ基を置換基として有していてもよいフェノキシ基が好ましく、マグネシウムクロリドオキシ基；炭素数１〜６のアルキル基；炭素数１〜６のアルコキシ基；アルコキシ基を置換基として有していてもよいフェニル基；及び、フェノキシ基がより好ましく、マグネシウムクロリドオキシ基；炭素数１〜４のアルキル基；アルコキシ基を置換基として有していてもよいフェニル基；及び、フェノキシ基が特に好ましい。
【０１７８】
これらの具体例としては、マグネシウムクロリドオキシ基、メチル基、エチル基、n-プロピル基、n-ブチル基、メトキシ基、エトキシ基、n-プロポキシ基、n-ブトキシ基、フェニル基、メチルフェニル基、エチルフェニル基、n-プロピルフェニル基、n-ブチルフェニル基、メトキシフェニル基、エトキシフェニル基、n-プロポキシフェニル基、n-ブトキシフェニル基、フェノキシ基、メチルフェノキシ基、エチルフェノキシ基、n-プロピルフェノキシ基、n-ブチルフェノキシ基、メトキシフェノキシ基、エトキシフェノキシ基、n-プロポキシフェノキシ基、n-ブトキシフェノキシ基等が挙げられ、マグネシウムクロリドオキシ基、メチル基、エチル基、n-プロピル基、n-ブチル基、メトキシ基、エトキシ基、フェニル基、メトキシフェニル基、エトキシフェニル基、n-プロポキシフェニル基、n-ブトキシフェニル基、フェノキシ基が好ましく、マグネシウムクロリドオキシ基、メチル基、エチル基、フェニル基、メトキシフェニル基、エトキシフェニル基、フェノキシ基がより好ましく、マグネシウムクロリドオキシ基、フェニル基、フェノキシ基が特に好ましい。
【０１７９】
一般式（Ｉ’−ＩＩ）におけるＲ16とＲ17との組み合わせとしては、下記表６に記載の組み合わせ１〜１６が好ましく、組み合わせ１〜４，６，７，１０，１１，１３，１４がより好ましく、組み合わせ１，２，４，６，７，１０，１３，１４がさらに好ましく、組み合わせ１，２，４，７，１０，１４がさらにより好ましく、組み合わせ１，４，１４が特に好ましい。
【０１８０】
【表６】
2017204322.tif 000053
【０１８１】
一般式（Ｉ’−ＩＩ）で示される化合物の好ましい具体例としては、例えば下記のマグネシウムクロリド化合物が挙げられる。
2017204322.tif 000054
【０１８２】
上記の好ましい具体例の中でも、下記のものがより好ましい。
2017204322.tif 000055
【０１８３】
上記一般式（Ｉ’−Ｉ）及び（Ｉ’−ＩＩ）で示される化合物の好ましい具体例の中でも、下記のものが特に好ましい。
2017204322.tif 000056
【０１８４】
一般式（Ｉ’）で示される化合物は、配位体を形成していてもよく、例えば、一般式（Ｉ’）で示される化合物が本発明に係る溶媒と配位体を形成していてもよい。具体的には例えば、一般式（Ｉ’）で示される化合物がTHFと配位体を形成する場合、下記のような配位体を形成すると推定される。
2017204322.tif 000057
（式中、Ｒ１、Ｘ１、ｍ及びｎは、上記と同じ。）
また、一般式（Ｉ’）で示される化合物は、複数の配位体が集合した会合体を形成していてもよく、例えば２個の配位体が集合した会合体を形成する場合、下記のようになると推定される。
2017204322.tif 000058
（式中、Ｒ１、Ｘ１、ｍ及びｎは、上記と同じ。）
【０１８５】
［一般式（Ｉ’）で示される化合物の製造方法］
本発明に係る一般式（Ｉ’）で示される化合物は、上記［一般式（Ｉ）で示される化合物の製造方法］に記載の方法に準じて製造すればよい。
【０１８６】
以下に実施例及び比較例を挙げて本発明を更に具体的に説明するが、本発明はこれらの例によって何ら限定されるものではない。
【実施例】
【０１８７】
実施例１  電解液１の調製
（１）マグネシウム塩の合成
アルゴンガス雰囲気下、オルトリン酸（東京化成工業(株)製）1.96g(20mmol)をテトラヒドロフラン（THF）（和光純薬工業(株)製）20mlに溶解させた溶液に、エチルマグネシウムクロリド（EtMgCl）のTHF溶液（東京化成工業(株)製、２Ｍ）30ml(60mmol)を0℃以下で滴下し、１時間攪拌した。反応溶液を濃縮し、ジイソプロピルエーテル（IPE）（和光純薬工業(株)製）50mlを注入して紛体を生成させた。粉体をろ取して減圧乾燥し、オルトリン酸トリス(マグネシウムクロリド)塩（P(O)(OMgCl)3）を得た。
2017204322.tif 000059
【０１８８】
得られた化合物の1H-NMR測定において、原料由来のピークは観測されなかった。
また、オルトリン酸の1H-NMR測定及びIR測定の結果を以下に示す。
1H-NMR (400MHz, DMSO-d6) δ(ppm)：8.66(brs, 3H, OH)
IR(ATR)：νOH＝2749
1H-NMR測定により、得られた化合物がオルトリン酸と異なる構造であることを確認した。また、IR測定により、オルトリン酸で確認されたOH結合が、得られた化合物中では消失していることを確認した。
さらに、高周波誘導結合プラズマ発光分光分析法（ICP-AES）測定により、得られた化合物中のマグネシウム対リンの含有モル比がMg：P＝３：１であることを確認した。尚、該ICP-AES測定にはPS3520UVDDII（日立ハイテクサイエンス(株)社製）を使用した。【０１８９】
（２）電解液の調製
アルゴンガス雰囲気下、（１）で得られたオルトリン酸トリス(マグネシウムクロリド)塩（P(O)(OMgCl)3）0.83g(3mmol)をトリエチレングリコールジメチルエーテル（トリグライム）（和光純薬工業(株)製）12mlに加えた。攪拌しながら45℃に加熱した後、混合液に塩化アルミニウム（AlCl3）（和光純薬工業(株)製）1.20g(9mmol)を添加した。60℃で1時間攪拌した後、混合液を室温へ冷却し、ろ過して電解液１［オルトリン酸トリス(マグネシウムクロリド)塩−塩化アルミニウム/トリグライム溶液］を得た。【０１９０】
実施例２  電解液２の調製
アルゴンガス雰囲気下、実施例１の（１）で得られたオルトリン酸トリス(マグネシウムクロリド)塩（P(O)(OMgCl)3）0.27g(1mmol)をトリグライム（和光純薬工業(株)製）14mlに加えた。攪拌しながら45℃に加熱した後、混合液にマグネシウムビス(トリフルオロメタンスルホニル)イミド（Mg(TFSI)2）（キシダ化学(株)製）3.51g(6mmol)を添加した。120℃で1時間攪拌した後、混合液を室温へ冷却し、ろ過して電解液２［オルトリン酸トリス(マグネシウムクロリド)塩−マグネシウムビス(トリフルオロメタンスルホニル)イミド/トリグライム溶液］を得た。【０１９１】
実施例３  電解液３の調製
（１）マグネシウム塩の合成
アルゴンガス雰囲気下、フェニルホスホン酸（和光純薬工業(株)製）3.16g(20mmol)をTHF（和光純薬工業(株)製）20mlに溶解させた溶液に、n-ブチルマグネシウムクロリド（n-BuMgCl）のTHF溶液（東京化成工業(株)製、２Ｍ）20ml(40mmol)を0℃以下で滴下し、３時間攪拌した。反応溶液を濃縮し、IPE（和光純薬工業(株)製）30mlを注入して紛体を生成させた。粉体をろ取して減圧乾燥し、フェニルホスホン酸ジ(マグネシウムクロリド)塩（PhP(O)(OMgCl)2）を得た。
2017204322.tif 000060
【０１９２】
得られた化合物の1H-NMR測定の結果を以下に示す。
1H-NMR (400MHz, DMSO-d6) δ(ppm)：6.50-8.30(m, 5H)
また、フェニルホスホン酸の1H-NMR測定及びIR測定の結果を以下に示す。
1H-NMR (400MHz, DMSO-d6) δ(ppm)：7.35-7.75(m, 5H, Ar), 10.98(brs, 2H, OH)
IR(ATR)：νOH＝2668
1H-NMR測定により、得られた化合物がフェニルホスホン酸と異なる構造であることを確認した。また、IR測定により、フェニルホスホン酸で確認されたOH結合が、得られた化合物中では消失していることを確認した。
さらに、ICP-AES測定により、得られた化合物中のマグネシウム対リンの含有モル比がMg：P＝２：１であることを確認した。【０１９３】
（２）電解液の調製
アルゴンガス雰囲気下、（１）で得られたフェニルホスホン酸ジ(マグネシウムクロリド)塩（PhP(O)(OMgCl)2）1.38g(5mmol)をトリグライム（和光純薬工業(株)製）20mlに加えた。攪拌しながら45℃に加熱した後、混合液に塩化アルミニウム（AlCl3）（和光純薬工業(株)製）2.00g(15mmol)を添加した。60℃で1時間攪拌した後、混合液を室温へ冷却して、電解液３［フェニルホスホン酸ビス(マグネシウムクロリド)塩−塩化アルミニウム/トリグライム溶液］を得た。【０１９４】
実施例４  電解液４の調製
（１）マグネシウム塩の合成
アルゴンガス雰囲気下、ジフェニルホスフィン酸（和光純薬工業(株)製）8.73g(40mmol)をTHF（和光純薬工業(株)製）20mlに溶解させた溶液に、フェニルマグネシウムクロリド（PhMgCl）のTHF溶液（東京化成工業(株)製、２Ｍ）20ml(40mmol)を0℃以下で滴下し、1.5時間攪拌した。反応溶液を濃縮し、IPE（和光純薬工業(株)製）50mlを注入して紛体を生成させた。粉体をろ取して減圧乾燥し、ジフェニルホスフィン酸マグネシウムクロリド塩（Ph2P(O)(OMgCl)）を得た。
2017204322.tif 000061
【０１９５】
得られた化合物の1H-NMR測定の結果を以下に示す。
1H-NMR (400MHz, DMSO-d6) δ(ppm)：6.80-8.20(m, 10H)
また、ジフェニルホスフィン酸の1H-NMR測定及びIR測定の結果を以下に示す。
1H-NMR (400MHz, DMSO-d6) δ(ppm)：7.40-7.55(m, 6H, Ar), 7.65-7.80(m, 4H, Ar), 12.01(brs, 1H, OH)
IR(ATR)：νOH＝2661
1H-NMR測定により、得られた化合物がジフェニルホスフィン酸と異なる構造であることを確認した。また、IR測定により、ジフェニルホスフィン酸で確認されたOH結合が、得られた化合物中では消失していることを確認した。
さらに、ICP-AES測定により、得られた化合物中のマグネシウム対リンの含有モル比がMg：P＝１：１であることを確認した。【０１９６】
（２）電解液の調製
アルゴンガス雰囲気下、（１）で得られたジフェニルホスフィン酸マグネシウムクロリド塩（Ph2PO(OMgCl)）1.39g(5mmol)をトリグライム（和光純薬工業(株)製）20mlに加えた。攪拌しながら45℃に加熱した後、混合液に塩化アルミニウム（AlCl3）（和光純薬工業(株)製）1.33g(10mmol)を添加した。60℃で2.5時間攪拌した後、混合液を室温へ冷却し、ろ過して電解液４［ジフェニルホスフィン酸マグネシウムクロリド塩−塩化アルミニウム/トリグライム溶液］を得た。【０１９７】
実施例５  電解液５の調製
（１）マグネシウム塩の合成
アルゴンガス雰囲気下、ジフェニルホスフィンオキシド（和光純薬工業(株)製）8.09g(40mmol)をTHF（和光純薬工業(株)製）20mlに溶解させた溶液に、フェニルマグネシウムクロリド（PhMgCl）のTHF溶液（東京化成工業(株)製、２Ｍ）20ml(40mmol)を室温下で滴下し、2時間攪拌した。反応溶液を濃縮乾固し、IPE（和光純薬工業(株)製）40mlを注入して紛体を析出させた。粉体をろ取して減圧乾燥し、ジフェニルホスフィニルマグネシウムクロリド塩（Ph2P(OMgCl)）を得た。
2017204322.tif 000062
【０１９８】
得られた化合物の1H-NMR測定の結果を以下に示す。
1H-NMR (400MHz, DMSO-d6) δ(ppm)：6.95-7.95(m, 10H)
また、ジフェニルホスフィンオキシドの1H-NMR測定及びIR測定の結果を以下に示す。
1H-NMR (400MHz, DMSO-d6) δ(ppm)：7.54-7.58(m, 4H, Ar), 7.60-7.65(m, 2H, Ar), 7.68-7.76(m, 4H, Ar), 8.10(d, 490 Hz, 1H, PH)
IR(ATR)：νP=O＝1161, νPH＝2373
1H-NMR測定により、得られた化合物がジフェニルホスフィンオキシドと異なる構造であることを確認した。また、IR測定により、ジフェニルホスフィンオキシドで確認されたP=O結合及びPH結合が、得られた化合物中では消失していることを確認した。
さらに、ICP-AES測定により、得られた化合物中のマグネシウム対リンの含有モル比がMg：P＝１：１であることを確認した。【０１９９】
（２）電解液の調製
アルゴンガス雰囲気下、（１）で得られたジフェニルホスフィニルマグネシウムクロリド塩（Ph2P(OMgCl)）1.30g(5mmol)をトリグライム（和光純薬工業(株)製）20mlに加えた。攪拌しながら40℃に加熱した後、混合液に塩化アルミニウム（AlCl3）（和光純薬工業(株)製）1.00g(7.5mmol)を添加した。60℃で30分間攪拌した後、混合液を室温へ冷却して、電解液５［ジフェニルホスフィニルマグネシウムクロリド塩−塩化アルミニウム/トリグライム溶液］を得た。【０２００】
実施例６  電解液６の調製
（１）マグネシウム塩の合成
アルゴンガス雰囲気下、フェニルホスフィン酸（東京化成工業(株)製）2.84g(20mmol)をTHF（和光純薬工業(株)製）30mlに溶解させた溶液に、フェニルマグネシウムクロリド（PhMgCl）のTHF溶液（東京化成工業(株)製、２Ｍ）20ml(40mmol)を-20℃で滴下し、30分攪拌した。反応溶液を濃縮し、IPE（和光純薬工業(株)製）50mlを注入して紛体を生成させた。紛体をろ取して減圧乾燥し、フェニルホスフィン酸ビスマグネシウムクロリド塩（PhP(OMgCl)2）を得た。
2017204322.tif 000063
【０２０１】
得られた化合物の1H-NMR測定の結果を以下に示す。
1H-NMR (400MHz, DMSO-d6) δ(ppm)：7.12-7.65(m, 5H, Ph)
また、フェニルホスフィン酸の1H-NMR測定及びIR測定の結果を以下に示す。
1H-NMR (400MHz, DMSO-d6) δ(ppm)：7.49(d, 544 Hz, 1H, PH), 7.50-7.78(m, 5H, Ar), 11.90(brs, 1H, OH)
IR(ATR)：νPH＝2407, νOH＝2600
1H-NMR測定により、得られた化合物がフェニルホスフィン酸と異なる構造であることを確認した。また、IR測定により、フェニルホスフィン酸で確認されたOH結合及びPH結合が、得られた化合物中では消失していることを確認した。
さらに、ICP-AES測定により、得られた化合物中のマグネシウム対リンの含有モル比がMg：P＝２：１であることを確認した。【０２０２】
（２）電解液の調製
アルゴンガス雰囲気下、（１）で得られたフェニルホスフィン酸ビスマグネシウムクロリド塩（PhP(OMgCl)2）0.65g(2.5mmol)をトリグライム（和光純薬工業(株)製）10mlに加えた。攪拌しながら40℃に加熱した後、混合液に塩化アルミニウム（AlCl3）（和光純薬工業(株)製）1.33g(10mmol)を添加した。50℃で10分間攪拌した後、混合液を室温へ冷却して、電解液６［フェニルホスフィン酸ビスマグネシウムクロリド塩−塩化アルミニウム/トリグライム溶液］を得た。【０２０３】
実施例７  電解液７の調製
（１）マグネシウム塩の合成
アルゴンガス雰囲気下、亜リン酸（和光純薬工業(株)製）1.64g(20mmol)をTHF（和光純薬工業(株)製）30mlに溶解させた溶液に、フェニルマグネシウムクロリド（PhMgCl）のTHF溶液（東京化成工業(株)製、２Ｍ）30ml(60mmol)を-70℃で滴下し、30分攪拌した。反応溶液を濃縮し、IPE（和光純薬工業(株)製）40mlを注入して紛体を生成させた。紛体をろ取して減圧乾燥し、亜リン酸トリスマグネシウムクロリド塩（P(OMgCl)3）を得た。
2017204322.tif 000064
【０２０４】
得られた化合物の1H-NMR測定において、原料由来のピークは観測されなかった。
また、亜リン酸の1H-NMR測定及びIR測定の結果を以下に示す。
1H-NMR (400MHz, DMSO-d6) δ(ppm)：6.74(d, 648 Hz, 1H, PH), 11.58(brs, 2H, OH)
IR(ATR)：νPH＝2486、νOH＝2665
1H-NMR測定により、得られた化合物が亜リン酸と異なる構造であることを確認した。また、IR測定により、亜リン酸で確認されたOH結合及びPH結合が、得られた化合物中では消失していることを確認した。
さらに、ICP-AES測定により、得られた化合物中のマグネシウム対リンの含有モル比がMg：P＝３：１であることを確認した。【０２０５】
（２）電解液の調製
アルゴンガス雰囲気下、（１）で得られた亜リン酸トリスマグネシウムクロリド塩（P(OMgCl)3）0.65g(2.5mmol)をトリグライム（和光純薬工業(株)製）10mlに加えた。攪拌しながら40℃に加熱した後、混合液に塩化アルミニウム（AlCl3）（和光純薬工業(株)製）2.00g(15mmol)を添加した。50℃で10分間攪拌した後、混合液を室温へ冷却し、ろ過して、電解液７［亜リン酸トリスマグネシウムクロリド塩−塩化アルミニウム/トリグライム溶液］を得た。【０２０６】
実施例８  電解液８の調製
（１）マグネシウム塩の合成
アルゴンガス雰囲気下、亜リン酸ジフェニル（和光純薬工業(株)製）9.37g(40mmol)をTHF（和光純薬工業(株)製）30mlに溶解させた溶液に、フェニルマグネシウムクロリド（PhMgCl）のTHF溶液（東京化成工業(株)製、２Ｍ）20ml(40mmol)を-70℃で滴下し、1時間攪拌した。反応溶液を濃縮し、IPE（和光純薬工業(株)製）50mlを注入して紛体を生成させた。紛体をろ取して減圧乾燥し、亜リン酸ジフェニルマグネシウムクロリド塩（(PhO)2P(OMgCl)）を得た。
2017204322.tif 000065
【０２０７】
得られた化合物の1H-NMR測定の結果を以下に示す。
1H-NMR (400MHz, DMSO-d6) δ(ppm)：6.88-7.12(m, 4H, Ar), 7.14-7.43(m, 6H, Ar)
また、亜リン酸ジフェニルの1H-NMR測定及びIR測定の結果を以下に示す。
1H-NMR (400MHz, DMSO-d6) δ(ppm)：7.06(d, 682 Hz, 1H, PH), 7.15-7.48(m, 10H, Ar)
IR(ATR)：νP=O＝1275, νPH＝2480
1H-NMR測定により、得られた化合物が亜リン酸ジフェニルと異なる構造であることを確認した。また、IR測定により、亜リン酸ジフェニルで確認されたP=O結合及びPH結合が、得られた化合物中では消失していることを確認した。
さらに、ICP-AES測定により、得られた化合物中のマグネシウム対リンの含有モル比がMg：P＝１：１であることを確認した。【０２０８】
（２）電解液の調製
アルゴンガス雰囲気下、（１）で得られた亜リン酸ジフェニルマグネシウムクロリド塩（(PhO)2P(OMgCl)）0.73g(2.5mmol)をトリグライム（和光純薬工業(株)製）10mlに加えた。攪拌しながら40℃に加熱した後、混合液に塩化アルミニウム（AlCl3）（和光純薬工業(株)製）0.67g(5mmol)を添加した。50℃で10分間攪拌した後、混合液を室温へ冷却して、電解液８［亜リン酸ジフェニルマグネシウムクロリド塩−塩化アルミニウム/トリグライム溶液］を得た。【０２０９】
実施例９  電解液９の調製
（１）マグネシウム塩の合成
アルゴンガス雰囲気下、リン酸ジフェニル（東京化成工業(株)製）1.92g(20mmol)をTHF（和光純薬工業(株)製）30mlに溶解させた溶液に、フェニルマグネシウムクロリド（PhMgCl）のTHF溶液（東京化成工業(株)製、２Ｍ）20ml(40mmol)を-70℃で滴下し、30分攪拌した。反応溶液を濃縮し、IPE（和光純薬工業(株)製）20mlを注入して紛体を生成させた。紛体をろ取して減圧乾燥し、リン酸ジフェニルマグネシウムクロリド塩（(PhO)2P(O)(OMgCl)）を得た。
2017204322.tif 000066
【０２１０】
得られた化合物の1H-NMR測定の結果を以下に示す。
1H-NMR (400MHz, DMSO-d6) δ(ppm)：6.96-7.04(m, 2H, Ar), 7.15-7.37(m, 8H, Ar)
また、リン酸ジフェニルの1H-NMR測定及びIR測定の結果を以下に示す。
1H-NMR (400MHz, DMSO-d6) δ(ppm)：7.14-7.23(m, 6H, Ar), 7.35-7.42(m, 4H, Ar)
IR(ATR)：νOH＝2575
1H-NMR測定により、得られた化合物がリン酸ジフェニルと異なる構造であることを確認した。また、IR測定により、リン酸ジフェニルで確認されたOH結合が、得られた化合物中では消失していることを確認した。
さらに、ICP-AES測定により、得られた化合物中のマグネシウム対リンの含有モル比がMg：P＝１：１であることを確認した。【０２１１】
（２）電解液の調製
アルゴンガス雰囲気下、（１）で得られたリン酸ジフェニルマグネシウムクロリド塩（(PhO)2P(O)(OMgCl)）0.77g(2.5mmol)をトリグライム（和光純薬工業(株)製）10mlに加えた。攪拌しながら40℃に加熱した後、混合液に塩化アルミニウム（AlCl3）（和光純薬工業(株)製）0.67g(5mmol)を添加した。50℃で30分間攪拌した後、混合液を室温へ冷却して、電解液９［リン酸ジフェニルマグネシウムクロリド塩−塩化アルミニウム/トリグライム溶液］を得た。【０２１２】
実施例１０  電解液１０の調製
（１）マグネシウム塩の合成
アルゴンガス雰囲気下、リン酸フェニル（東京化成工業(株)製）3.48g(20mmol)をTHF（和光純薬工業(株)製）30mlに溶解させた溶液に、フェニルマグネシウムクロリド（PhMgCl）のTHF溶液（東京化成工業(株)製、２Ｍ）20ml(40mmol)を-70℃で滴下し、30分攪拌した。反応溶液を濃縮し、IPE（和光純薬工業(株)製）40mlを注入して紛体を生成させた。紛体をろ取して減圧乾燥し、リン酸フェニルビスマグネシウムクロリド塩（(PhO)P(O)(OMgCl)2）を得た。
2017204322.tif 000067
【０２１３】
得られた化合物の1H-NMR測定の結果を以下に示す。
1H-NMR (400MHz, DMSO-d6) δ(ppm)：6.80-7.08(m, 1H, Ar), 7.11-7.50(m, 4H, Ar)
また、リン酸フェニルの1H-NMR測定及びIR測定の結果を以下に示す。
1H-NMR (400MHz, DMSO-d6) δ(ppm)：7.10-7.20(m, 3H, Ar), 7.34(t, 8.7Hz, 2H, Ar), 11.67(brs, 2H, OH)
IR(ATR):νOH＝2703
1H-NMR測定により、得られた化合物がリン酸フェニルと異なる構造であることを確認した。また、IR測定により、リン酸フェニルで確認されたOH結合が、得られた化合物中では消失していることを確認した。
さらに、ICP-AES測定により、得られた化合物中のマグネシウム対リンの含有モル比がMg：P＝２：１であることを確認した。【０２１４】
（２）電解液の調製
アルゴンガス雰囲気下、（１）で得られたリン酸フェニルビスマグネシウムクロリド塩（(PhO)P(O)(OMgCl)2）0.73g(2.5mmol)をトリグライム（和光純薬工業(株)製）10mlに加えた。攪拌しながら40℃に加熱した後、混合液に塩化アルミニウム（AlCl3）（和光純薬工業(株)製）1.33g(10mmol)を添加した。50℃で10分間攪拌した後、混合液を室温へ冷却して、電解液１０［リン酸フェニルビスマグネシウムクロリド塩−塩化アルミニウム/トリグライム溶液］を得た。【０２１５】
実施例１１  電解液１１の調製
（１）マグネシウム塩の合成
アルゴンガス雰囲気下、ビス(4-メトキシフェニル)ホスフィン酸（シグマアルドリッチ社製）2.78g(10mmol)をTHF（和光純薬工業(株)製）30mlへ加えた混合液に、フェニルマグネシウムクロリド（PhMgCl）のTHF溶液（東京化成工業(株)製、２Ｍ）5ml(10mmol)を-10℃で滴下し、30分攪拌した。反応溶液を濃縮し、IPE（和光純薬工業(株)製）50mlを注入して紛体を生成させた。紛体をろ取して減圧乾燥し、ビス(4-メトキシフェニル)ホスフィン酸マグネシウムクロリド塩（(4-(MeO)C6H4)2P(OMgCl)）を得た。
2017204322.tif 000068
【０２１６】
得られた化合物の1H-NMR測定の結果を以下に示す。
1H-NMR (400 MHz, DMSO-d6) δ(ppm)：3.64-3.82(m, 6H, OMe), 6.50-6.87(m, 4H, Ar), 7.25-7.77(m, 4H, Ar)
また、ビス(4-メトキシフェニル)ホスフィン酸の1H-NMR測定及びIR測定の結果を以下に示す。
1H-NMR (400MHz, DMSO-d6) δ(ppm)：3.77(s, 6H, OMe), 6.96-7.03(m, 4H, Ar), 7.56-7.64(m, 4H, Ar), 11.55(brs, 1H, OH)
IR(ATR)：νOH＝2550
1H-NMR測定により、得られた化合物がビス(4-メトキシフェニル)ホスフィン酸と異なる構造であることを確認した。また、IR測定により、ビス(4-メトキシフェニル)ホスフィン酸で確認されたOH結合が、得られた化合物中では消失していることを確認した。
さらに、ICP-AES測定により、得られた化合物中のマグネシウム対リンの含有モル比がMg：P＝１：１であることを確認した。【０２１７】
（２）電解液の調製
アルゴンガス雰囲気下、（１）で得られたビス(4-メトキシフェニル)ホスフィン酸マグネシウムクロリド塩（(4-(MeO)C6H4)2P(OMgCl)）0.84g(2.5mmol)をTHF（和光純薬工業(株)製）10mlに加えた。攪拌しながら40℃に加熱した後、混合液に塩化アルミニウム（AlCl3）（和光純薬工業(株)製）0.33g(2.5mmol)を添加した。50℃で10分間攪拌した後、混合液を室温へ冷却して、電解液１１［ビス(4-メトキシフェニル)ホスフィン酸マグネシウムクロリド塩−塩化アルミニウム/THF溶液］を得た。【０２１８】
実施例１２  電解液１２の調製
（１）マグネシウム塩の合成
アルゴンガス雰囲気下、メチルホスホン酸（シグマアルドリッチ社製）1.92g(20mmol)をTHF（和光純薬工業(株)製）45mlに溶解させた溶液に、フェニルマグネシウムクロリド（PhMgCl）のTHF溶液（東京化成工業(株)製、２Ｍ）20ml(40mmol)を-30℃で滴下し、30分攪拌した。反応溶液を濃縮し、IPE（和光純薬工業(株)製）40mlを注入して紛体を生成させた。紛体をろ取して減圧乾燥し、メチルホスホン酸ビスマグネシウムクロリド塩（MeP(O)(OMgCl)2）を得た。
2017204322.tif 000069
【０２１９】
得られた化合物の1H-NMR測定の結果を以下に示す。
1H-NMR (400MHz, DMSO-d6) δ(ppm)：0.84-1.48(m, 3H, Me)
また、メチルホスホン酸の1H-NMR測定及びIR測定の結果を以下に示す。
1H-NMR (400MHz, DMSO-d6) δ(ppm)：1.25(d, 17 Hz, 1H, Me), 10.30(brs, 2H, OH)
IR(ATR):νOH＝2730
1H-NMR測定により、得られた化合物がメチルホスホン酸と異なる構造であることを確認した。また、IR測定により、メチルホスホン酸で確認されたOH結合が、得られた化合物中では消失していることを確認した。
さらに、ICP-AES測定により、得られた化合物中のマグネシウム対リンの含有モル比がMg：P＝２：１であることを確認した。【０２２０】
（２）電解液の調製
アルゴンガス雰囲気下、（１）で得られたメチルホスホン酸ビスマグネシウムクロリド塩（MeP(O)(OMgCl)2）0.53g(2.5mmol)をTHF（和光純薬工業(株)製）15ml、トリグライム（和光純薬工業(株)製）5mlの混合液に加えた。攪拌しながら40℃に加熱した後、混合液に塩化アルミニウム（AlCl3）（和光純薬工業(株)製）1.33g(10mmol)を添加した。50℃で30分間攪拌した後、混合液を室温へ冷却し、ろ過して、電解液１２［メチルホスホン酸ビスマグネシウムクロリド塩−塩化アルミニウム/THF-トリグライム溶液］を得た。【０２２１】
実施例１３  電解液１３の調製
（１）マグネシウム塩の合成
アルゴンガス雰囲気下、二リン酸（シグマアルドリッチ社製）3.56g(20mmol)をTHF（和光純薬工業(株)製）30mlに溶解させた溶液に、フェニルマグネシウムクロリド（PhMgCl）のTHF溶液（東京化成工業(株)製、２Ｍ）40ml(80mmol)を-70℃で滴下し、30分攪拌した。反応溶液を濃縮し、IPE（和光純薬工業(株)製）40mlを注入して紛体を生成させた。紛体をろ取して減圧乾燥し、二リン酸テトラマグネシウムクロリド塩（(ClMgO)2P(O)OP(O)(OMgCl)2）を得た。
2017204322.tif 000070
【０２２２】
得られた化合物の1H-NMR測定において、原料由来のピークは観測されなかった。
また、二リン酸の1H-NMR測定及びIR測定の結果を以下に示す。
1H-NMR (400MHz, DMSO-d6) δ(ppm)：11.88(brs, 4H, OH)
IR(ATR)：νOH＝2778
1H-NMR測定により、得られた化合物が二リン酸と異なる構造であることを確認した。また、IR測定により、二リン酸で確認されたOH結合が、得られた化合物中では消失していることを確認した。
さらに、ICP-AES測定により、得られた化合物中のマグネシウム対リンの含有モル比がMg：P＝４：２であることを確認した。【０２２３】
（２）電解液の調製
アルゴンガス雰囲気下、（１）で得られた二リン酸テトラマグネシウムクロリド塩（(ClMgO)2P(O)OP(O)(OMgCl)2）1.03g(2.5mmol)をトリグライム（和光純薬工業(株)製）10mlに加えた。攪拌しながら40℃に加熱した後、混合液に塩化アルミニウム（AlCl3）（和光純薬工業(株)製）2.67g(20mmol)を添加した。50℃で3時間攪拌した後、混合液を室温へ冷却し、ろ過して、電解液１３［二リン酸テトラマグネシウムクロリド塩−塩化アルミニウム/トリグライム溶液］を得た。【０２２４】
比較例１  比較電解液１の調液
アルゴンガス雰囲気下、濃度２Ｍのエチルマグネシウムクロリド（EtMgCl）のTHF溶液（東京化成工業(株)製）10ml(20mmol)をTHF（和光純薬工業(株)製）10mlで希釈した溶液に、tert-ブタノール（tert-BuOH）（和光純薬工業(株)製）1.48g(20mmol)を攪拌しながら滴下した。得られた溶液に塩化アルミニウム（AlCl3）（和光純薬工業(株)製）0.44g(3.3mmol)を加えて攪拌し、比較電解液１［(tert-BuOMgCl)6-AlCl3/THF溶液］を得た。【０２２５】
比較例２  比較電解液２の調液
アルゴンガス雰囲気下、過塩素酸マグネシウム（Mg(ClO4)2）（アルドリッチ社製）1.34g(6mmol)をリン酸トリメチル（アルドリッチ社製）12mlに溶解させた。室温へ冷却後、得られた溶液へヨウ素（I2）（アルドリッチ社製）200mg(0.78mmol)を溶解させ、比較電解液２［Mg(ClO4)2-I2/リン酸トリメチル溶液］を得た。【０２２６】
実験例１  各種電解液のサイクリックボルタンメトリー（ＣＶ）測定
調液直後の電解液１〜４、及び比較電解液１〜２を用いて、サイクリックボルタンメトリー（ＣＶ）測定を行った。また、調液から１ヶ月経過後の電解液１を用いて同様にＣＶ測定を行った。
ＣＶ測定は、具体的には以下の如く行った。即ち、３極式のビーカーセルを用い、作用極に白金電極（直径3mm；BAS社製）、対極及び参照極にMgロッド（直径1.6mm；ニラコ社製）を使用した。ビーカーには電解液2mlを加え、室温下（25℃）、掃引速度5mV/sで、-1.5〜3.5Vの範囲の測定を行った。該測定には、電気化学測定システム（BioLogic社製）を使用した。【０２２７】
各電解液の酸化安定性（１０サイクル目）を下記表７に示す。【０２２８】
また、各電解液の１０サイクル目の結果を図１〜１５に示す（図１：調液直後及び調液から１ヶ月経過後の電解液１、図２：電解液２、図３：電解液３、図４：電解液４、図５：電解液５、図６：電解液６、図７：電解液７、図８：電解液８、図９：電解液９、図１０：電解液１０、図１１：電解液１１、図１２：電解液１２、図１３：電解液１３、図１４：比較電解液１、図１５：比較電解液２）。さらに、図３において、電解液３の１サイクル目及び３０サイクル目の結果も併せて示す。
尚、図中の横軸は、参照極の電位を基準とした作用極の電位を表し、縦軸(mA/cm2)は各電位において観測された電流値を作用極の表面積で割った電流密度を表す。また、図１における実線は、調液直後の１０サイクル目の結果を、図１における破線は、調液から１ヵ月経過後の１０サイクル目の結果を表す。図２及び４〜１５における実線は、（調液直後の）１０サイクル目の結果を表す。図３における実線は、（調液直後の）１サイクル目の結果を、図３における破線は、（調液直後の）１０サイクル目の結果を、図３における点線は、（調液直後の）３０サイクル目の結果をそれぞれ表す。【０２２９】
【表７】
2017204322.tif 000071
【０２３０】
表７及び図１〜１３の結果より、本発明の電解液の酸化安定性は、いずれも+3.0V以上であった。一方、J.Mater.Chem.A, 2014,2,581-584（非特許文献３）に記載されている電解液である比較電解液１［(tert-BuOMgCl)6-AlCl3/THF溶液］のＣＶ測定により、その酸化安定性がほぼ文献値どおりの+2.4Vであることを確認した。また、特許第５７８６５４０号公報（特許文献２）に記載されている電解液である比較電解液２［Mg(ClO4)2-I2/リン酸トリメチル溶液］のＣＶ測定において、マグネシウムの可逆的な溶解・析出は確認されず、その酸化安定性は+2.6V程度であった。【０２３１】
以上のことから、本発明の電解液は、本発明に係る一般式（Ｉ）で示される化合物と同じく非求核的なマグネシウム塩であるtert-BuOMgCl塩からなる電解液（比較例１）よりも、著しく高い酸化安定性を有し、従来の電解液よりも高電圧で使用できることが分かった。また、本発明の電解液は、含リン有機化合物、ハロゲン及びマグネシウムイオンを含む非水系マグネシウムイオン電解液（比較例２）よりも、著しく高い電流密度が発現し、酸化耐性も高いことが分かった。即ち、リン酸類縁体又はその縮合体のマグネシウム塩とルイス酸とを適切な溶媒中で混合してなる本発明の電解液は、公知のアルコールのマグネシウム塩よりも、高効率でマグネシウムイオンの溶解・析出が起こり、高い酸化耐性を有することが分かった。【０２３２】
また、図３の結果より、本発明の電解液は、マグネシウムの溶解・析出が繰り返し安定的に進行することが分かった。【０２３３】
さらに、図１の結果より、本発明の電解液は、１ヶ月間保存していてもその性能が劣化せず、優れた保存安定性を有することが分かった。【０２３４】
実験例２  電気化学デバイスの作製及び充放電試験
まず、J. Electrochem. Soc., 2014, 161, A593 に記載の方法に準じて、Mo6S8電極を作成した。次いで、作成したMo6S8電極を作用極に、Mgロッド（直径1.6mm；ニラコ社製）を対極及び参照極に使用し、ビーカーに実施例１で調製した電解液１を2ml加えて、３極式ビーカーセルを作成した。
室温下、カットオフ電位0.8V〜1.9V（vs. Mg参照極）、0.1Cのレートで定電流充放電試験を行い、得られた充放電曲線を図１６に示す。
尚、図中の横軸(mAh/g)は、各電位における放電容量を表し、縦軸は、参照極の電位を基準とした作用極の電位を表す。また、図１６における実線は、１サイクル目の結果を、図１６における点線は、５サイクル目の結果を表す。【０２３５】
図１６の結果から、本発明の電解液を用いて作製した電池は、二次電池デバイスとして作動することが分かった。
【図１】
2017204322.tif 000087
【図２】
2017204322.tif 000088
【図３】
2017204322.tif 000089
【図４】
2017204322.tif 000090
【図５】
2017204322.tif 000091
【図６】
2017204322.tif 000092
【図７】
2017204322.tif 000093
【図８】
2017204322.tif 000094
【図９】
2017204322.tif 000095
【図１０】
2017204322.tif 000096
【図１１】
2017204322.tif 000097
【図１２】
2017204322.tif 000098
【図１３】
2017204322.tif 000099
【図１４】
2017204322.tif 000100
【図１５】
2017204322.tif 000101
【図１６】
2017204322.tif 000102
【国際調査報告】
2017204322.tif 000103
2017204322.tif 000104